(57)【特許請求の範囲】
【請求項１】
無線通信方法であって、
ネットワーク装置により、復調基準信号に対応する第１パラメータを決定するステップ、
前記ネットワーク装置により、前記第１パラメータにしたがって、前記復調基準信号とは異なる第２基準信号に対応する第２パラメータを決定するステップ、
前記第２パラメータにしたがって前記第２基準信号を選択的に受信するステップであって、前記第２基準信号を受信するステップと前記復調基準信号の２つのシンボルの時間ドメイン直交シーケンスを適用するステップは同時に発生しない、ステップ、
を有することを特徴とする方法。
【請求項２】
無線通信方法であって、
ネットワーク装置により、復調基準信号に対応する第１パラメータを決定するステップ、
前記ネットワーク装置により、前記第１パラメータにしたがって、前記復調基準信号とは異なる第２基準信号に対応する第２パラメータを決定するステップ、
前記第２パラメータにしたがって前記第２基準信号を選択的に送信するステップであって、前記第２基準信号を送信するステップと前記復調基準信号の２つのシンボルの時間ドメイン直交シーケンスを適用するステップは同時に発生しない、ステップ、
を有することを特徴とする方法。
【請求項３】
前記復調基準信号の時間ドメイン直交シーケンスが適用される場合、前記第２基準信号は受信または送信されず、
前記第２基準信号が受信または送信される場合、前記復調基準信号の時間ドメイン直交シーケンスは適用されない
ことを特徴とする請求項１または２記載の方法。
【請求項４】
前記ネットワーク装置は端末デバイスであり、
前記方法はさらに、前記端末デバイスによりベースステーションから無線リソース制御（ＲＲＣ）メッセージを受信するステップであって、前記ＲＲＣメッセージは、複数送信ブロックを有するサブバンドにおける前記第２基準信号の送信リソースブロックの位置を通知する、ステップを有する
ことを特徴とする請求項１または２記載の方法。
【請求項５】
前記ネットワーク装置はベースステーションであり、
前記方法はさらに、前記ベースステーションにより端末に対して無線リソース制御（ＲＲＣ）メッセージを送信するステップであって、前記ＲＲＣメッセージは、複数送信ブロックを有するサブバンドにおける前記第２基準信号の送信リソースブロックの位置を通知する、ステップを有する
ことを特徴とする請求項１または２記載の方法。
【請求項６】
前記ネットワーク装置は前記第２パラメータを用いて、前記第２基準信号のシーケンスを生成する
ことを特徴とする請求項１または２記載の方法。
【請求項７】
前記ネットワーク装置は端末デバイスであり、
前記第１パラメータを決定するステップは、前記端末デバイスにより、前記復調基準信号のシーケンスを生成するための前記第１パラメータを含む無線リソース制御メッセージを受信するステップを有する
ことを特徴とする請求項６記載の方法。
【請求項８】
前記ネットワーク装置はベースステーションであり、
前記第１パラメータを決定するステップは、前記ベースステーションにより、前記復調基準信号のシーケンスを生成するための前記第１パラメータを含む無線リソース制御メッセージを送信するステップを有する
ことを特徴とする請求項６記載の方法。
【請求項９】
周波数ドメイン位置における前記第２基準信号のシーケンスは、同じ周波数ドメイン位置における前記復調基準信号のシーケンスに基づき決定される
ことを特徴とする請求項６記載の方法。
【請求項１０】
前記第２基準信号のシーケンスは、同じ周波数ドメイン位置における前記復調基準信号のシーケンスの複製である
ことを特徴とする請求項９記載の方法。
【請求項１１】
前記第２パラメータは前記第２基準信号のポート個数を示し、前記第１パラメータは前記復調基準信号のＬ１個のポートを示し、
前記方法はさらに、前記Ｌ１個のポートに基づきＬ２個のポートグループを決定するステップであって、各前記ポートグループは前記第２基準信号の同じポートに対応し、Ｌ１とＬ２は正整数である、ステップを有する
ことを特徴とする請求項１または２記載の方法。
【請求項１２】
前記第２パラメータを決定するステップは、
前記復調基準信号と前記第２基準信号との間のポート対応関係を決定するステップ、
前記第１パラメータと前記ポート対応関係に基づき前記第２パラメータを決定するステップ、
を有する
ことを特徴とする請求項１または２記載の方法。
【請求項１３】
前記第１パラメータは前記復調基準信号のポート番号を示し、
前記第２パラメータは前記第２基準信号が用いる送信リソースを示す
ことを特徴とする請求項１または２記載の方法。
【請求項１４】
前記ネットワーク装置は端末デバイスであり、
前記方法はさらに、前記端末デバイスによりベースステーションから無線リソース制御（ＲＲＣ）メッセージを受信するステップであって、前記ＲＲＣメッセージは前記第２パラメータを決定するための前記第２基準信号と対応する第３パラメータを有する、ステップを有する
ことを特徴とする請求項１３記載の方法。
【請求項１５】
前記ネットワーク装置はベースステーションであり、
前記方法はさらに、前記ベースステーションにより端末に対して無線リソース制御（ＲＲＣ）メッセージを送信するステップであって、前記ＲＲＣメッセージは前記第２パラメータを決定するための前記第２基準信号と対応する第３パラメータを有する、ステップを有する
ことを特徴とする請求項１３記載の方法。
【請求項１６】
無線通信デバイスであって、
プロセッサ、
実行可能命令を格納するメモリ、
を備え、
前記実行可能命令は、前記プロセッサが実行したとき前記プロセッサに、
復調基準信号に対応する第１パラメータを決定するステップ、
前記第１パラメータにしたがって、前記復調基準信号とは異なる第２基準信号に対応する第２パラメータを決定するステップ、
前記第２パラメータにしたがって前記第２基準信号を選択的に受信するステップであって、前記第２基準信号を受信するステップと前記復調基準信号の２つのシンボルの時間ドメイン直交シーケンスを適用するステップは同時に発生しない、ステップ、
を実施させる
ことを特徴とするデバイス。
【請求項１７】
無線通信デバイスであって、
プロセッサ、
実行可能命令を格納するメモリ、
を備え、
前記実行可能命令は、前記プロセッサが実行したとき前記プロセッサに、
復調基準信号に対応する第１パラメータを決定するステップ、
前記第１パラメータにしたがって、前記復調基準信号とは異なる第２基準信号に対応する第２パラメータを決定するステップ、
前記第２パラメータにしたがって前記第２基準信号を選択的に送信するステップであって、前記第２基準信号を送信するステップと前記復調基準信号の２つのシンボルの時間ドメイン直交シーケンスを適用するステップは同時に発生しない、ステップ、
を実施させる
ことを特徴とするデバイス。
【請求項１８】
前記復調基準信号の時間ドメイン直交シーケンスが適用される場合、前記第２基準信号は受信または送信されず、
前記第２基準信号が受信または送信される場合、前記復調基準信号の時間ドメイン直交シーケンスは適用されない
ことを特徴とする請求項１６または１７記載のデバイス。
【請求項１９】
前記命令は前記プロセッサにさらに、ベースステーションから無線リソース制御（ＲＲＣ）メッセージを受信するステップであって、前記ＲＲＣメッセージは、複数送信ブロックを有するサブバンドにおける前記第２基準信号の送信リソースブロックの位置を通知する、ステップを実施させる
ことを特徴とする請求項１６または１７記載のデバイス。
【請求項２０】
前記命令は前記プロセッサにさらに、端末に対して無線リソース制御（ＲＲＣ）メッセージを送信するステップであって、前記ＲＲＣメッセージは、複数送信ブロックを有するサブバンドにおける前記第２基準信号の送信リソースブロックの位置を通知する、ステップを実施させる
ことを特徴とする請求項１６または１７記載のデバイス。
【請求項２１】
前記第２パラメータを用いて、前記第２基準信号のシーケンスを生成する
ことを特徴とする請求項１６または１７記載のデバイス。
【請求項２２】
前記命令は前記プロセッサにさらに、前記復調基準信号のシーケンスを生成するための前記第１パラメータを含む無線リソース制御メッセージを受信するステップを実施させる  ことを特徴とする請求項２１記載のデバイス。
【請求項２３】
前記命令は前記プロセッサにさらに、前記復調基準信号のシーケンスを生成するための前記第１パラメータを含む無線リソース制御メッセージを送信するステップを実施させる  ことを特徴とする請求項２１記載のデバイス。
【請求項２４】
周波数ドメイン位置における前記第２基準信号のシーケンスは、同じ周波数ドメイン位置における前記復調基準信号のシーケンスに基づき決定される
ことを特徴とする請求項２１記載のデバイス。
【請求項２５】
前記第２基準信号のシーケンスは、同じ周波数ドメイン位置における前記復調基準信号のシーケンスの複製である
ことを特徴とする請求項２４記載のデバイス。
【請求項２６】
前記第２パラメータは前記第２基準信号のポート個数を示し、前記第１パラメータは前記復調基準信号のＬ１個のポートを示し、
前記命令は前記プロセッサにさらに、前記Ｌ１個のポートに基づきＬ２個のポートグループを決定するステップであって、各前記ポートグループは前記第２基準信号の同じポートに対応し、Ｌ１とＬ２は正整数である、ステップを実施させる
ことを特徴とする請求項１６または１７記載のデバイス。
【請求項２７】
前記命令は前記プロセッサにさらに、
前記復調基準信号と前記第２基準信号との間のポート対応関係を決定するステップ、
前記第１パラメータと前記ポート対応関係に基づき前記第２パラメータを決定するステップ、
を実施させる
ことを特徴とする請求項１６または１７記載のデバイス。
【請求項２８】
前記第１パラメータは前記復調基準信号のポート番号を示し、
前記第２パラメータは前記第２基準信号が用いる送信リソースを示す
ことを特徴とする請求項１６または１７記載のデバイス。
【請求項２９】
前記命令は前記プロセッサにさらに、ベースステーションから無線リソース制御（ＲＲＣ）メッセージを受信するステップであって、前記ＲＲＣメッセージは前記第２パラメータを決定するための前記第２基準信号と対応する第３パラメータを有する、ステップを実施させる
ことを特徴とする請求項２８記載のデバイス。
【請求項３０】
前記命令は前記プロセッサにさらに、端末に対して無線リソース制御（ＲＲＣ）メッセージを送信するステップであって、前記ＲＲＣメッセージは前記第２パラメータを決定するための前記第２基準信号と対応する第３パラメータを有する、ステップを実施させる
ことを特徴とする請求項２８記載のデバイス。
【発明の詳細な説明】
【技術分野】
【０００１】
＜関連出願への相互参照＞
本願は、２０１７年１月４日出願の中国特許出願２０１７１０００５５７６．０の優先権を主張し、これに基づき出願されたものである。同文献の全開示は参照により本願に組み込まれる。
【０００２】
本開示は、無線通信の分野に関する。具体的には、基準信号、端末デバイス、およびベースステーションのパラメータを決定および送信する方法および装置に関する。
【背景技術】
【０００３】
現在、Ｎｅｗ  Ｒａｄｉｏ（ＮＲ）の物理層技術が３ＧＰＰ  ＲＡＮ１において盛んに議論されている。より柔軟かつ効率的なＮＲ物理層を設計することが常に目標となっている。ＮＲにおいて高周波数帯を用いることは重要なポイントの１つであり、高周波数帯における経路ロスを補償するためには、複数アンテナビーム形成方式が不可欠な手段と思われる。複数アンテナビーム形成方式において、ベースステーションは複数アンテナを用いて非常に狭いビームを送信し、ビーム形成ゲインを取得する。このように、異なるユーザまたは同じユーザに対する複数層の送信は比較的独立しており、したがって複数ユーザ多重化の研究が重要なポイントとなっている。
【０００４】
復調基準信号の設計は、データ復調に対して大きく影響する。Ｌｏｎｇ  Ｔｅｒｍ  Ｅｖｏｌｕｔｉｏｎ（ＬＴＥ）においては、最大４つの復調基準信号（ＤＭＲＳ）ポートがダウンリンクにおいて直交多重化し得る。すなわち、複数ユーザスケジューリングにおいて、最大４ユーザのポートのみが互いに直交することになる。ＮＲにおいて、直交マルチユーザポートの個数を増やすことが必須である。
【０００５】
ＮＲにおいて、柔軟な時間−周波数ドメイン密度を有するＤＭＲＳパターンを設計することを３ＧＰＰは合意し、「フロントローディング」と呼ばれるパターンを用いることが合意された。フロントローディング方式において、復調基準信号の１カラムのみが利用可能である場合、最大８つの直交ポートをどのように多重化するのかが問題である。柔軟性とマルチユーザの直交性を実現するため、詳細部分とシグナリング通知をさらに研究する必要がある。
【０００６】
また、高周波数帯において用いる中央キャリア周波数は非常に高いので、位相ノイズが大きな問題となる。位相ノイズを効率的に推定する基準信号をどのように設計するのか、およびシグナリング通知をどのよう減少させるのかを研究する価値がある。
【０００７】
当該分野における上記技術的課題について、有効な解決手段は未だ提示されていない。
【発明の概要】
【発明が解決しようとする課題】
【０００８】
本開示の実施形態は、基準信号のパラメータを決定および送信する方法と装置、端末デバイス、およびベースステーションを提供し、これにより少なくとも、当該分野において基準信号を取得する際に必要なシグナリングオーバーヘッドが大きいという課題を解決する。
【課題を解決するための手段】
【０００９】
本開示の実施形態によれば、基準信号のパラメータを決定する方法では：第１シグナリングによって第１タイプ基準信号のパラメータを取得するステップ；前記取得した第１タイプ基準信号のパラメータにしたがって第２タイプ基準信号のパラメータを決定するステップであって、前記第１タイプ基準信号および／または前記第２タイプ基準信号は：データ復調のための基準信号；位相ノイズ補償のための基準信号；ドップラーシフト補償のための基準信号；またはデータ復調のための拡張基準信号のうち少なくとも１つを含む、ステップ；を有する。
【００１０】
実施形態において、
前記取得した第１タイプ基準信号のパラメータにしたがって前記第２タイプ基準信号のパラメータを決定する動作は：前記第１タイプ基準信号のパラメータにしたがって前記第２タイプ基準信号のパラメータを直接決定するステップ；または、前記第１タイプ基準信号のパラメータと前記第２タイプ基準信号の第１指定パラメータにしたがって、前記第２タイプ基準信号の第２指定パラメータを決定するステップであって、前記第１指定パラメータは前記第２指定パラメータと同じまたは異なる、ステップ；を有する。
【００１１】
実施形態において、
前記第１タイプ基準信号のパラメータと前記第２タイプ基準信号の前記第１指定パラメータにしたがって前記第２タイプ基準信号の前記第２指定パラメータを決定する動作の前に、前記方法はさらに、第２シグナリングによって前記第２タイプ基準信号の前記第１指定パラメータを取得する動作を有する。
【００１２】
実施形態において、前記第１タイプ基準信号のパラメータは：前記第１タイプ基準信号のパターン、前記第１タイプ基準信号のポート個数、前記第１タイプ基準信号のポート番号、前記第１タイプ基準信号が用いる直交コード長、前記第１タイプ基準信号が用いる直交コードシーケンス、前記第１タイプ基準信号が用いる直交コードシーケンスのインデックス、前記第１タイプ基準信号が用いる送信リソース、前記第１タイプ基準信号のシーケンスを生成するために用いるパラメータ、前記第１タイプ基準信号のシーケンスを生成する態様、前記第１タイプ基準信号が用いるシーケンスタイプ、前記第１タイプ基準信号が用いる波形、前記第１タイプ基準信号が用いる送信モード、のうち少なくとも１つを含み；前記第２タイプ基準信号のパラメータは：前記第２タイプ基準信号のパターン、前記第２タイプ基準信号のポート個数、前記第２タイプ基準信号のポート番号、前記第２タイプ基準信号が用いる直交コード長、前記第２タイプ基準信号が用いる直交コードシーケンス、前記第２タイプ基準信号が用いる直交コードシーケンスのインデックス、前記第２タイプ基準信号が用いる送信リソース、前記第２タイプ基準信号のシーケンスを生成するために用いるパラメータ、前記第２タイプ基準信号のシーケンスを生成する態様、前記第２タイプ基準信号のシーケンスタイプ、前記第２タイプ基準信号が用いる波形、前記第２タイプ基準信号が用いる送信モード、のうち少なくとも１つを含む。
【００１３】
実施形態において、前記第２タイプ基準信号のポートは複数ポートグループに分割され、前記複数ポートグループは時分割によって区別される。
【００１４】
実施形態において、前記第２タイプ基準信号の異なるポートが用いる送信リソースは、完全に異なるかまたは一部異なる。
【００１５】
実施形態において、
前記第１タイプ基準信号のパラメータが前記第１タイプ基準信号によって用いられる送信リソースである場合、前記第２タイプ基準信号のパラメータおよび／または前記第２指定パラメータは前記第２タイプ基準信号が用いる送信リソースであり、前記第１指定パラメータは前記送信リソースにおいて前記第２タイプ基準信号が配置されている位置を示し、前記送信リソースは：送信帯域幅；送信位置；時間ドメイン密度；周波数ドメイン密度のうち少なくとも１つを含む。
【００１６】
実施形態において、前記第２タイプ基準信号のポート個数が前記第１タイプ基準信号のポート個数よりも小さい場合、前記第２タイプ基準信号を送信する送信モードは、前記第１タイプ基準信号の規定ポート個数の送信モードに対して規定動作を実施することによって取得する送信モードである。
【００１７】
実施形態において、前記第１タイプ基準信号のパラメータが：前記第１タイプ基準信号の直交シーケンスである場合、前記第２タイプ基準信号のパラメータおよび／または前記第２指定パラメータは前記第１タイプ基準信号の直交シーケンスのサブシーケンスであり、前記第１指定パラメータは前記第２タイプ基準信号の直交シーケンス長である。
【００１８】
実施形態において、前記第１タイプ基準信号の複数ポートに対応する著効シーケンスのサブシーケンスは同じである。
【００１９】
実施形態において、前記第１タイプ基準信号のパラメータが前記第１タイプ基準信号のパターンである場合、前記第２タイプ基準信号のパラメータおよび／または前記第２指定パラメータは前記第２タイプ基準信号のパターンであり、前記指定パラメータは前記第２タイプ基準信号の直交シーケンス長を示す。
【００２０】
前記第１タイプ基準信号のパラメータが：前記パターン、前記ポート個数、前記ポートシーケンス、前記直交シーケンス長、または前記直交シーケンスのうち少なくとも以下のうち１つである場合、前記第２タイプ基準信号のパラメータおよび／または前記第２指定パラメータは：前記パターン、前記ポート個数、前記ポートシーケンス、前記直交シーケンス長、または前記直交シーケンスのうち少なくとも１つであり、前記第１指定パラメータは前記第２タイプ基準信号の最大ポート個数を示し、前記第２タイプ基準信号の最大ポート個数は高レイヤシグナリングによって通知される。
【００２１】
実施形態において、前記第１タイプ基準信号の複数ポートは異なる直交シーケンスと同じ疑似ランダムシーケンスを用い、前記第２タイプ基準信号の複数ポートは同じ直交シーケンスと異なる疑似ランダムシーケンスを用いる。
【００２２】
実施形態において、前記取得した第１タイプ基準信号のパラメータにしたがって前記第２タイプ基準信号のパラメータを決定する前に、前記方法はさらに、前記第１タイプ基準信号のパラメータと前記第２タイプ基準信号のパラメータとの間の対応関係を取得するステップを有し、
前記取得した第１タイプ基準信号のパラメータにしたがって前記第２タイプ基準信号のパラメータを決定する動作は、前記第１タイプ基準信号のパラメータと前記対応関係にしたがって前記第２タイプ基準信号のパラメータを決定するステップを有する。
【００２３】
実施形態において、前記方法はさらに：前記第１タイプ基準信号の時間ドメイン直交シーケンスを適用するか否かにしたがって前記第２タイプ基準信号を送信するか否かを決定するステップ；または、前記第２タイプ基準信号を送信するか否かの決定にしたがって前記第１タイプ基準信号の時間ドメイン直交シーケンスを適用するか否かを決定するステップ；を有する。
【００２４】
実施形態において、前記第１タイプ基準信号のパラメータがポート個数Ｌ１である場合、前記第１タイプ基準信号のパラメータにしたがって前記第２タイプ基準信号のパラメータを決定する動作は：前記Ｌ１個のポートをＬ２個のグループに分割するステップであって、各前記Ｌ２グループ内の前記第１タイプ基準信号のポートは前記第２タイプ基準信号の同じポートに対応する、ステップを有し、Ｌ１とＬ２は正整数である。
【００２５】
実施形態において、前記第２タイプ基準信号のシーケンスは、対応する周波数ドメイン位置における前記第１タイプ基準信号のシーケンスから決定される。
【００２６】
実施形態において、前記第２タイプ基準信号のシーケンスは、対応する周波数ドメインリソースエレメントにおける前記第１タイプ基準信号のシーケンスの複製シーケンスである。
【００２７】
実施形態において、前記方法はさらに、規定態様によりまたは高レイヤシグナリング構成により、各サブバンドにおける前記第２タイプ基準信号の送信リソースブロックの位置を取得するステップであって、各前記サブバンドは複数送信リソースブロックを備え、各前記サブバンドの分割長はユーザごとに同じまたは異なる、ステップを有する。
【００２８】
本開示の実施形態にしたがって、基準信号のパラメータを送信する方法を提供する。前記方法は：第１タイプ基準信号のパラメータを構成するステップ；第１シグナリングにより、前記第１タイプ基準信号の前記構成したパラメータを端末デバイスに対して送信するステップであって、前記第１タイプ基準信号のパラメータは第２タイプ基準信号のパラメータを決定するために用いられ、前記第１タイプ基準信号および／または前記第２タイプ基準信号は：データ復調のための基準信号、位相ノイズ補償のための基準信号、ドップラーシフト補償のための基準信号、データ復調のための拡張基準信号のうち少なくとも１つを含む、ステップ、を有する。
【００２９】
実施形態において、前記第２基準信号のパラメータは：前記第２タイプ基準信号のパラメータを前記第１タイプ基準信号のパラメータから直接決定するステップ；または、前記第１タイプ基準信号のパラメータと前記第２タイプ基準信号の第１指定パラメータから前記第２タイプ基準信号のパラメータを結合的に決定するステップ；のうち少なくとも１つによって決定される。
【００３０】
実施形態において、前記方法はさらに、第２シグナリングによって、前記第２タイプ基準信号の前記第１指定パラメータを前記端末デバイスに対して送信するステップを有する。
【００３１】
実施形態において、前記第１タイプ基準信号のパラメータは：前記第１タイプ基準信号のパターン、前記第１タイプ基準信号のポート個数、前記第１タイプ基準信号のポート番号、前記第１タイプ基準信号が用いる直交コード長、前記第１タイプ基準信号が用いる直交コードシーケンス、前記第１タイプ基準信号が用いる直交コードシーケンスのインデックス、前記第１タイプ基準信号が用いる送信リソース、前記第１タイプ基準信号のシーケンスを生成するために用いるパラメータ、前記第１タイプ基準信号のシーケンスを生成する態様、前記第１タイプ基準信号が用いるシーケンスタイプ、前記第１タイプ基準信号が用いる波形、前記第１タイプ基準信号が用いる送信モード、のうち少なくとも１つを含む。前記第２タイプ基準信号のパラメータは：前記第２タイプ基準信号のパターン、前記第２タイプ基準信号のポート個数、前記第２タイプ基準信号のポート番号、前記第２タイプ基準信号が用いる直交コード長、前記第２タイプ基準信号が用いる直交コードシーケンス、前記第２タイプ基準信号が用いる直交コードシーケンスのインデックス、前記第２タイプ基準信号が用いる送信リソース、前記第２タイプ基準信号のシーケンスを生成するために用いるパラメータ、前記第２タイプ基準信号のシーケンスを生成する態様、前記第２タイプ基準信号のシーケンスタイプ、前記第２タイプ基準信号が用いる波形、前記第２タイプ基準信号が用いる送信モード、のうち少なくとも１つを含む。
【００３２】
実施形態において、前記第２タイプ基準信号のポートは複数ポートグループに分割され、前記複数ポートグループは時分割によって区別される。
【００３３】
実施形態において、前記第２タイプ基準信号の異なるポートが用いる送信リソースは、完全に異なるかまたは一部異なる。
【００３４】
実施形態において、前記第１タイプ基準信号のパラメータが前記第１タイプ基準信号によって用いられる送信リソースである場合、前記第２タイプ基準信号のパラメータは前記第２タイプ基準信号が用いる送信リソースを示し、前記第１指定パラメータは前記送信リソースにおいて前記第２タイプ基準信号が配置されている位置を示し、前記送信リソースは：送信帯域幅；送信位置；時間ドメイン密度；周波数ドメイン密度のうち少なくとも１つを含む。
【００３５】
実施形態において、前記第２タイプ基準信号のポート個数が前記第１タイプ基準信号のポート個数よりも小さい場合、前記第２タイプ基準信号を送信する送信モードは、前記第１タイプ基準信号の規定ポート個数の送信モードに対して規定動作を実施することによって取得する送信モードである。
【００３６】
実施形態において、前記第１タイプ基準信号のパラメータが前記第１タイプ基準信号の直交シーケンスである場合、前記第２タイプ基準信号のパラメータは前記第１タイプ基準信号の直交シーケンスのサブシーケンスであり、前記第１指定パラメータは前記第２タイプ基準信号の直交シーケンス長である。
【００３７】
実施形態において、前記第１タイプ基準信号の複数ポートに対応する直交シーケンスのサブシーケンスは同じである。
【００３８】
実施形態において、前記第１タイプ基準信号のパラメータが前記第１タイプ基準信号のパターンである場合、前記第２タイプ基準信号のパラメータおよび／または前記第２指定パラメータは前記第２タイプ基準信号のパターンであり、前記第１指定パラメータは前記第２タイプ基準信号の直交シーケンス長である。
【００３９】
実施形態において、
前記第１タイプ基準信号のパラメータが：前記パターン、前記ポート個数、前記ポートシーケンス、前記直交シーケンス長、または前記直交シーケンスのうち少なくとも以下のうち１つである場合、前記第２タイプ基準信号のパラメータおよび／または前記第２指定パラメータは：前記パターン、前記ポート個数、前記ポートシーケンス、前記直交シーケンス長、または前記直交シーケンスのうち少なくとも１つであり、前記第１指定パラメータは前記第２タイプ基準信号の最大ポート個数を示し、前記第２タイプ基準信号の最大ポート個数は高レイヤシグナリングによって通知される。
【００４０】
実施形態において、前記第１タイプ基準信号の複数ポートは異なる直交シーケンスと同じ疑似ランダムシーケンスを用い、前記第２タイプ基準信号の複数ポートは同じ直交シーケンスと異なる疑似ランダムシーケンスを用いる。
【００４１】
実施形態において、前記取得した第１タイプ基準信号のパラメータを前記第１シグナリングによって前記端末デバイスに対して送信する前に、前記方法はさらに：前記端末デバイスからフィードバックされ、前記第１タイプ基準信号のパラメータと前記第２タイプ基準信号のパラメータとの間の対応関係を示す、通知情報を受信するステップ；前記通知情報にしたがって前記第１タイプ基準信号のパラメータと前記第２タイプ基準信号のパラメータとの間の前記対応関係を構成するステップ；を有する。
【００４２】
実施形態において、前記通知情報は：前記第１タイプ基準信号と前記第２タイプ基準信号との間のポート対応関係；前記第２タイプ基準信号のポート個数；のうち少なくとも１つを含む。
【００４３】
実施形態において、前記方法はさらに、前記第１タイプ基準信号の時間ドメイン直交シーケンスの適用を構成するステップまたは前記第２タイプ基準信号の送信を構成するステップを有する。
【００４４】
実施形態において、前記第１タイプ基準信号のパラメータがポート個数Ｌ１を示す場合、前記第２タイプ基準信号のパラメータを決定する動作は、前記Ｌ１個のポートをＬ２個のグループに分割するステップであって、各前記Ｌ２グループ内の前記第１タイプ基準信号のポートは前記第２タイプ基準信号の同じポートに対応する、ステップを有し、Ｌ１とＬ２は正整数である。
【００４５】
実施形態において、前記第２タイプ基準信号のシーケンスは、対応する周波数ドメイン位置における前記第１タイプ基準信号のシーケンスから決定される。
【００４６】
実施形態において、前記第２タイプ基準信号のシーケンスは、対応する周波数ドメインリソースエレメントにおける前記第１タイプ基準信号のシーケンスの複製シーケンスである。
【００４７】
実施形態において、前記方法はさらに、規定態様によりまたは高レイヤシグナリング構成により、各サブバンドにおける前記第２タイプ基準信号の送信リソースブロックの位置を構成するステップを有し、各前記サブバンドは複数送信リソースブロックを備え、各前記サブバンドの分割長はユーザごとに同じまたは異なる。
【００４８】
本開示の実施形態にしたがって、基準信号のパラメータを決定する装置を提供する。前記装置は：第１シグナリングによって第１タイプ基準信号のパラメータを取得するステップを実施するように構成された取得モジュール；前記取得した第１タイプ基準信号のパラメータにしたがって第２タイプ基準信号のパラメータを決定するステップであって、前記第１タイプ基準信号および／または前記第２タイプ基準信号は：データ復調のための基準信号；位相ノイズ補償のための基準信号；ドップラーシフト補償のための基準信号；またはデータ復調のための拡張基準信号のうち少なくとも１つを含む、ステップを実施するように構成された決定モジュール；を備える。
【００４９】
実施形態において、前記決定モジュールはさらに：前記第１タイプ基準信号のパラメータにしたがって前記第２タイプ基準信号のパラメータを直接決定するステップ；または、前記第１タイプ基準信号のパラメータと前記第２タイプ基準信号の第１指定パラメータにしたがって、前記第２タイプ基準信号の第２指定パラメータを決定するステップであって、前記第１指定パラメータは前記第２指定パラメータと同じまたは異なる、ステップ；を実施するように構成されている。
【００５０】
実施形態において、前記取得モジュールはさらに、第２シグナリングによって前記第２タイプ基準信号の前記第１指定パラメータを取得するステップを実施するように構成されている。
【００５１】
実施形態において、前記第１タイプ基準信号のパラメータは：前記第１タイプ基準信号のパターン、前記第１タイプ基準信号のポート個数、前記第１タイプ基準信号のポート番号、前記第１タイプ基準信号が用いる直交コード長、前記第１タイプ基準信号が用いる直交コードシーケンス、前記第１タイプ基準信号が用いる直交コードシーケンスのインデックス、前記第１タイプ基準信号が用いる送信リソース、前記第１タイプ基準信号のシーケンスを生成するために用いるパラメータ、前記第１タイプ基準信号のシーケンスを生成する態様、前記第１タイプ基準信号が用いるシーケンスタイプ、前記第１タイプ基準信号が用いる波形、前記第１タイプ基準信号が用いる送信モード、のうち少なくとも１つを含む。前記第２タイプ基準信号のパラメータは：前記第２タイプ基準信号のパターン、前記第２タイプ基準信号のポート個数、前記第２タイプ基準信号のポート番号、前記第２タイプ基準信号が用いる直交コード長、前記第２タイプ基準信号が用いる直交コードシーケンス、前記第２タイプ基準信号が用いる直交コードシーケンスのインデックス、前記第２タイプ基準信号が用いる送信リソース、前記第２タイプ基準信号のシーケンスを生成するために用いるパラメータ、前記第２タイプ基準信号のシーケンスを生成する態様、前記第２タイプ基準信号のシーケンスタイプ、前記第２タイプ基準信号が用いる波形、前記第２タイプ基準信号が用いる送信モード、のうち少なくとも１つを含む。
【００５２】
本開示の実施形態にしたがって、基準信号のパラメータを送信する装置を提供する。前記装置は：第１タイプ基準信号のパラメータを構成するステップを実施するように構成された構成モジュール；第１シグナリングにより、前記第１タイプ基準信号の前記構成したパラメータを端末デバイスに対して送信するステップであって、前記第１タイプ基準信号のパラメータは第２タイプ基準信号のパラメータを決定するために用いられ、前記第１タイプ基準信号および／または前記第２タイプ基準信号は：データ復調のための基準信号、位相ノイズ補償のための基準信号、ドップラーシフト補償のための基準信号、データ復調のための拡張基準信号のうち少なくとも１つを含む、ステップを実施するように構成された送信モジュール；を備える。
【００５３】
実施形態において、前記第２基準信号のパラメータは：前記第２タイプ基準信号のパラメータを前記第１タイプ基準信号のパラメータから直接決定するステップ；または、前記第１タイプ基準信号のパラメータと前記第２タイプ基準信号の第１指定パラメータから前記第２タイプ基準信号のパラメータを結合的に決定するステップ；のうち少なくとも１つによって決定される。
【００５４】
実施形態において、前記送信モジュールはさらに、第２シグナリングによって、前記第２タイプ基準信号の前記第１指定パラメータを前記端末デバイスに対して送信するステップを実施するように構成されている。
【００５５】
実施形態において、前記第１タイプ基準信号のパラメータは：前記第１タイプ基準信号のパターン、前記第１タイプ基準信号のポート個数、前記第１タイプ基準信号のポート番号、前記第１タイプ基準信号が用いる直交コード長、前記第１タイプ基準信号が用いる直交コードシーケンス、前記第１タイプ基準信号が用いる直交コードシーケンスのインデックス、前記第１タイプ基準信号が用いる送信リソース、前記第１タイプ基準信号のシーケンスを生成するために用いるパラメータ、前記第１タイプ基準信号のシーケンスを生成する態様、前記第１タイプ基準信号が用いるシーケンスタイプ、前記第１タイプ基準信号が用いる波形、前記第１タイプ基準信号が用いる送信モード、のうち少なくとも１つを含む。前記第２タイプ基準信号のパラメータは：前記第２タイプ基準信号のパターン、前記第２タイプ基準信号のポート個数、前記第２タイプ基準信号のポート番号、前記第２タイプ基準信号が用いる直交コード長、前記第２タイプ基準信号が用いる直交コードシーケンス、前記第２タイプ基準信号が用いる直交コードシーケンスのインデックス、前記第２タイプ基準信号が用いる送信リソース、前記第２タイプ基準信号のシーケンスを生成するために用いるパラメータ、前記第２タイプ基準信号のシーケンスを生成する態様、前記第２タイプ基準信号のシーケンスタイプ、前記第２タイプ基準信号が用いる波形、前記第２タイプ基準信号が用いる送信モード、のうち少なくとも１つを含む。
【００５６】
本開示の実施形態にしたがって、端末デバイスを提供する。前記端末デバイスは：第１シグナリングによって第１タイプ基準信号のパラメータを取得するステップを実施するように構成された無線周波数モジュール；前記取得した第１タイプ基準信号のパラメータにしたがって第２タイプ基準信号のパラメータを決定するステップであって、前記第１タイプ基準信号および／または前記第２タイプ基準信号は：データ復調のための基準信号；位相ノイズ補償のための基準信号；ドップラーシフト補償のための基準信号；またはデータ復調のための拡張基準信号のうち少なくとも１つを含む、ステップを実施するように構成されたプロセッサ；を備える。
【００５７】
実施形態において、前記プロセッサはさらに：前記第１タイプ基準信号のパラメータにしたがって前記第２タイプ基準信号のパラメータを直接決定するステップ；または、前記第１タイプ基準信号のパラメータと前記第２タイプ基準信号の第１指定パラメータにしたがって、前記第２タイプ基準信号の第２指定パラメータを決定するステップであって、前記第１指定パラメータは前記第２指定パラメータと同じまたは異なる、ステップ；を実施するように構成されている。
【００５８】
実施形態において、前記無線周波数モジュールはさらに、第２シグナリングによって前記第２タイプ基準信号の前記第１指定パラメータを取得するステップを実施するように構成されている。
【００５９】
実施形態において、前記第１タイプ基準信号のパラメータは：前記第１タイプ基準信号のパターン、前記第１タイプ基準信号のポート個数、前記第１タイプ基準信号のポート番号、前記第１タイプ基準信号が用いる直交コード長、前記第１タイプ基準信号が用いる直交コードシーケンス、前記第１タイプ基準信号が用いる直交コードシーケンスのインデックス、前記第１タイプ基準信号が用いる送信リソース、前記第１タイプ基準信号のシーケンスを生成するために用いるパラメータ、前記第１タイプ基準信号のシーケンスを生成する態様、前記第１タイプ基準信号が用いるシーケンスタイプ、前記第１タイプ基準信号が用いる波形、前記第１タイプ基準信号が用いる送信モード、のうち少なくとも１つを含む。前記第２タイプ基準信号のパラメータは：前記第２タイプ基準信号のパターン、前記第２タイプ基準信号のポート個数、前記第２タイプ基準信号のポート番号、前記第２タイプ基準信号が用いる直交コード長、前記第２タイプ基準信号が用いる直交コードシーケンス、前記第２タイプ基準信号が用いる直交コードシーケンスのインデックス、前記第２タイプ基準信号が用いる送信リソース、前記第２タイプ基準信号のシーケンスを生成するために用いるパラメータ、前記第２タイプ基準信号のシーケンスを生成する態様、前記第２タイプ基準信号のシーケンスタイプ、前記第２タイプ基準信号が用いる波形、前記第２タイプ基準信号が用いる送信モード、のうち少なくとも１つを含む。
【００６０】
本開示の実施形態にしたがって、ベースステーションを提供する。前記ベースステーションは：第１タイプ基準信号のパラメータを構成するステップを実施するように構成されたプロセッサ；第１シグナリングにより、前記第１タイプ基準信号の前記構成したパラメータを端末デバイスに対して送信するステップであって、前記第１タイプ基準信号のパラメータは第２タイプ基準信号のパラメータを決定するために用いられ、前記第１タイプ基準信号および／または前記第２タイプ基準信号は：データ復調のための基準信号、位相ノイズ補償のための基準信号、ドップラーシフト補償のための基準信号、データ復調のための拡張基準信号のうち少なくとも１つを含む、ステップを実施するように構成された無線周波数モジュール；を備える。
【００６１】
実施形態において、前記第２基準信号のパラメータは：前記第２タイプ基準信号のパラメータを前記第１タイプ基準信号のパラメータから直接決定するステップ；または、前記第１タイプ基準信号のパラメータと前記第２タイプ基準信号の第１指定パラメータから前記第２タイプ基準信号のパラメータを結合的に決定するステップ；のうち少なくとも１つによって決定される。
【００６２】
実施形態において、前記無線周波数モジュールはさらに、第２シグナリングによって、前記第２タイプ基準信号の前記第１指定パラメータを前記端末デバイスに対して送信するステップを実施するように構成されている。
【００６３】
実施形態において、前記第１タイプ基準信号のパラメータは：前記第１タイプ基準信号のパターン、前記第１タイプ基準信号のポート個数、前記第１タイプ基準信号のポート番号、前記第１タイプ基準信号が用いる直交コード長、前記第１タイプ基準信号が用いる直交コードシーケンス、前記第１タイプ基準信号が用いる直交コードシーケンスのインデックス、前記第１タイプ基準信号が用いる送信リソース、前記第１タイプ基準信号のシーケンスを生成するために用いるパラメータ、前記第１タイプ基準信号のシーケンスを生成する態様、前記第１タイプ基準信号が用いるシーケンスタイプ、前記第１タイプ基準信号が用いる波形、前記第１タイプ基準信号が用いる送信モード、のうち少なくとも１つを含む。前記第２タイプ基準信号のパラメータは：前記第２タイプ基準信号のパターン、前記第２タイプ基準信号のポート個数、前記第２タイプ基準信号のポート番号、前記第２タイプ基準信号が用いる直交コード長、前記第２タイプ基準信号が用いる直交コードシーケンス、前記第２タイプ基準信号が用いる直交コードシーケンスのインデックス、前記第２タイプ基準信号が用いる送信リソース、前記第２タイプ基準信号のシーケンスを生成するために用いるパラメータ、前記第２タイプ基準信号のシーケンスを生成する態様、前記第２タイプ基準信号のシーケンスタイプ、前記第２タイプ基準信号が用いる波形、前記第２タイプ基準信号が用いる送信モード、のうち少なくとも１つを含む。
【００６４】
本開示の実施形態にしたがって、プロセッサが実行したとき、本開示の実施形態における基準信号のパラメータを決定する方法のステップを前記プロセッサに実施させるか、または、前記プロセッサが実行したとき、本開示の実施形態における基準信号のパラメータを送信する方法のステップを前記プロセッサに実施させる、コンピュータプログラムを格納したコンピュータ記憶媒体を提供する。
【００６５】
本開示の実施形態にしたがって、第２基準信号のパラメータは、第１タイプ基準信号のパラメータを用いて決定することができ、第１タイプ基準信号のパラメータは第１シグナリングのみによって取得され、これにしたがって第２タイプ基準信号のパラメータを取得できる。したがって、第２タイプ基準信号のパラメータを個別送信するために別のシグナリングを用いる必要はなく、これによりシグナリングオーバーヘッドが抑制される。したがって、当該分野において基準信号を取得する際に大きなシグナリングオーバーヘッドが必要になるという課題を解決することができる。
【図面の簡単な説明】
【００６６】
図面は、本開示をさらに理解するために提供することを意図しており、本開示を不合理に限定することなく本開示の一部を構成することを意図している。
【００６７】
【図１】本開示の実施形態にしたがって基準信号のパラメータを決定する方法を実装したモバイル端末のハードウェア構造を示すブロック図である。
【００６８】
【図２】本開示の実施形態にしたがって基準信号のパラメータを決定する方法のフローチャートである。
【００６９】
【図３】本開示の実施形態にしたがって提供する基準信号のパラメータを送信する方法の概略フローチャートである。
【００７０】
【図４】本開示の実施形態にしたがって基準信号のパラメータを決定する装置の構造ブロック図である。
【００７１】
【図５】本開示の実施形態にしたがって基準信号のパラメータを送信する装置の構造ブロック図である。
【００７２】
【図６】本開示の実施形態にしたがって提供する端末デバイスの概略構造図である。
【００７３】
【図７】本開示の実施形態にしたがって提供するベースステーションの構造ブロック図である。
【００７４】
【図８】本開示の実施形態にしたがって提供する基準信号の第１および第２タイプの概略図である。
【００７５】
【図９】本開示の実施形態に基づく周波数ドメインにおける第１および第２タイプ基準信号のパターンの概略図である。
【００７６】
【図１０】本開示の実施例２に基づく符号分割を用いる基準信号の概略図である。
【００７７】
【図１１】本開示の実施例４に基づき提供する第１および第２タイプ基準信号のパターンの概略図である。
【００７８】
【図１２】本開示の実施例５に基づく第１および第２タイプ基準信号が周波数ドメインにおいて配置されている位置の概略図である。
【００７９】
【図１３】本開示の実施例５に基づく第１および第２タイプ基準信号のグループ間における時間分割多重化の概略図である。
【００８０】
【図１４】本開示の実施例６に基づき提供される第１タイプ基準信号と第２タイプ基準信号との間の関係を示す概略図である。
【００８１】
【図１５】本開示の実施例７に基づき第２タイプ基準信号が２つのグループへ分割されるケースの概略図である。
【００８２】
【図１６】本開示の実施例８に基づき第２タイプ基準信号の２ポートが２つのサブキャリアへそれぞれマッピングされるケースの概略図である。
【００８３】
【図１７】本開示の実施例８に基づき第２タイプ基準信号の異なるポートの送信帯域幅が異なるケースの概略図である。
【００８４】
【図１８】本開示の実施例９に基づき、第２タイプ基準信号のために用いる直交シーケンスの長さと第２タイプ基準信号のために用いる直交シーケンスの長さが等しいケースの概略図である。
【００８５】
【図１９】本開示の実施例９に基づき、第２タイプ基準信号のために用いる直交シーケンスの長さと第２タイプ基準信号のために用いる直交シーケンスの長さが等しくないケースの概略図である。
【００８６】
【図２０】本開示の実施例１０に基づき、第１タイプ基準信号の直交シーケンスの長さが４であり、第２タイプ基準信号の直交シーケンスの長さが４または２であるケースの概略図である。
【００８７】
【図２１】本開示の実施例１１に基づき、第１タイプ基準信号の時間ドメインシンボルの２カラム上における直交コードの長さが、第２タイプ基準信号の特徴を示しているケースの概略図である。
【発明を実施するための形態】
【００８８】
以下、添付する図面を参照して本開示を詳細に説明する。本願の実施形態と実施形態内の特徴は、競合することなく互いに組み合わせることができる。
【００８９】
明細書、特許請求範囲、および図面における用語「第１」「第２」などは、同様のオブジェクトを区別するために用いており、特定の順序や優先度を示すために用いるものではない。
【００９０】
＜実施形態１＞
本願の実施形態が提供する方法は、算術演算デバイス（例えばモバイル端末、コンピュータ端末デバイス、など）において実行することができる。モバイル端末を例にする。図１は、本開示の実施形態にしたがって基準信号のパラメータを決定する方法を用いるモバイル端末のハードウェア構造ブロック図である。図１に示すように、モバイル端末１０は、１以上（１つのみ図示している）のプロセッサ１０２（プロセッサ１０２は、演算デバイス、マイクロコントローラユニット（ＭＣＵ）、プログラマブルロジックデバイス（Ｆｉｅｌｄ  Ｐｒｏｇｒａｍｍａｂｌｅ  Ｇａｔｅ  Ａｒｒａｙ（ＦＰＧＡ））などを含むが、これに限らない）、データを格納するメモリ１０４、通信機能のための送信デバイス１０６、を備える。図１に示す構造は例示に過ぎず、上記電子デバイスの構造を限定するものではないことを、当業者は理解するであろう。例えばモバイル端末１０は、図１に示すものよりも多いまたは少ない部品を備える場合があり、あるいは図１に示すものとは異なる構成を有する場合がある。
【００９１】
メモリ１０４を用いて、ソフトウェアプログラムとアプリケーションソフトウェアのモジュールを格納することができる。例えば本開示の実施形態における基準信号のパラメータを決定する方法に対応するプログラム命令／モジュールである。プロセッサ１０２は、メモリ１０４が格納しているソフトウェアプログラムとモジュールを実行し、これにより各機能アプリケーションとデータ処理を実施する。すなわち、上記方法を実装する。メモリ１０４は、高速ランダムアクセスメモリを含み、例えば１以上の磁気記憶デバイス、フラッシュメモリ、その他不揮発固体状態メモリなどの不揮発性メモリを含む。実施例においてメモリ１０４はさらに、プロセッサ１０２に対して遠隔配置されたメモリを含み、これはネットワークを介してモバイル端末１０と接続することができる。このネットワークの例としては、インターネット、イントラネット、ローカルエリアネットワーク、モバイル通信ネットワーク、これらの組み合わせが挙げられるが、これに限らない。
【００９２】
送信デバイス１０６は、ネットワークを介してデータを送受信するために用いられる。ネットワークの例としては、モバイル端末１０の通信プロバイダが提供する無線ネットワークが挙げられる。１例において送信デバイス１０６は、ベースステーションを介して他のネットワークデバイスと接続してインターネットと通信できるネットワークインターフェースコントローラ（ＮＩＣ）を有する。１例において、インターネットと無線通信する送信デバイス１０６は無線（ＲＦ）モジュールである。
【００９３】
本実施形態において、モバイル端末上で動作する基準信号のパラメータを決定する方法を提供する。図２は、本開示の実施形態にしたがって基準信号のパラメータを決定する方法のフローチャートである。図２に示すように、フローチャートは以下の動作を含む。
【００９４】
動作Ｓ２０２において、第１シグナリングにより、第１タイプ基準信号のパラメータを取得する。
【００９５】
動作Ｓ２０４において、取得した第１タイプ基準信号のパラメータにしたがって、第２タイプ基準信号のパラメータを決定する。
【００９６】
上記動作を介して、第１タイプ基準信号のパラメータによって、第２タイプ基準信号のパラメータを決定することができる。第１タイプ基準信号のパラメータは第１シグナリングによってのみ取得され、第２タイプ基準信号のパラメータはこれに対応して取得される。したがって、第２タイプ基準信号のパラメータを個別送信するために別のシグナリングを用いる必要はなく、これによりシグナリングオーバーヘッドを抑制できる。したがって、当該分野において基準信号を取得する際に必要となる多大なシグナリングオーバーヘッドの課題を解決することができる。
【００９７】
上記第１タイプ基準信号および／または第２タイプ基準信号は、以下のうち少なくとも１つを含む：データ復調のための基準信号；位相ノイズ補償のための基準信号；ドップラーシフト補償のための基準信号；データ復調のための拡張基準信号。
【００９８】
第２タイプ基準信号のパラメータは、第１タイプ基準信号のパラメータに対して完全依拠してもよいし、完全依拠でなくともよい。したがって、本開示の実施形態において、上記動作Ｓ２０４は以下のステップを含むことができる：第１タイプ基準信号のパラメータにしたがって第２タイプ基準信号のパラメータを直接決定するステップ；または、第１タイプ基準信号のパラメータと第２タイプ基準信号の第１指定パラメータにしたがって、第２タイプ基準信号の第２指定パラメータを決定するステップであって、前記第１指定パラメータは前記第２指定パラメータと同じまたは異なるパラメータである、ステップ。
【００９９】
上記第１タイプ基準信号のパラメータは、シグナリングその他の暗黙ルールにしたがって決定することができる。例えば、リソース配置パラメータ、サブフレームタイプ、サイクリックプレフィックス（ＣＰ）の長さ、などが挙げられるが、これに限らない。
【０１００】
上記第１指定パラメータは、あらかじめ規定することもできるし、ベースステーションが指定することもできるが、これに限らない。
【０１０１】
第１タイプ基準信号のパラメータと第２タイプ基準信号の第１指定パラメータにしたがって第２タイプ基準信号の第２指定パラメータを決定するステップの前に、以下のステップを含むことができる：第２シグナリングによって、第２タイプ基準信号の第２指定パラメータを取得するステップ。すなわち、第１タイプ基準信号のパラメータは第１シグナリングによって取得することができ、第２タイプ基準信号のパラメータのうち少なくとも一部は第２シグナリングによって取得することができ、第２タイプ基準信号のパラメータはそのパラメータのうち少なくとも一部に基づいて取得することができる。従来技術と比較して、シグナリングオーバーヘッドがある程度減少する。
【０１０２】
第１タイプ基準信号のパラメータは、以下のうち少なくとも１つを示すことができる：第１タイプ基準信号のパターン；第１タイプ基準信号のポートの個数；第１タイプ基準信号のポート番号；第１タイプ基準信号が用いる直交コードの長さ；第１タイプ基準信号が用いる直交コードシーケンス；第１タイプ基準信号が用いる直交コードシーケンスのインデックス；第１タイプ基準信号が用いる送信リソース；第１タイプ基準信号のシーケンスを生成するために用いるパラメータ；第１タイプ基準信号のシーケンスを生成する態様；第１タイプ基準信号が用いるシーケンスタイプ；第１タイプ基準信号が用いる波形；第１タイプ基準信号が用いる送信モード。
【０１０３】
第２タイプ基準信号のパラメータは、以下のうち少なくとも１つを示すことができる：第２タイプ基準信号のパターン；第２タイプ基準信号のポート個数；第２タイプ基準信号のポート番号；第２タイプ基準信号の直交コードの長さ；第２タイプ基準信号が用いる直交コードシーケンス；第２タイプ基準信号が用いる直交コードシーケンスのインデックス；第２タイプ基準信号が用いる送信リソース；第２タイプ基準信号のシーケンスを生成するために用いるパラメータ；第２タイプ基準信号が用いるシーケンスタイプ；第２タイプ基準信号が用いる波形；第２タイプ基準号が用いる送信モード。すなわち、第１タイプ基準信号のパラメータのうち少なくとも１つは、第２タイプ基準信号のパラメータのうち少なくとも１つを決定することができる。
【０１０４】
第２タイプ基準信号のポートは複数のポートグループに分割され、複数のポートグループは時間分割によって区別することができるが、これに限らない。
【０１０５】
第２タイプ基準信号のそれぞれ異なるポートが用いる送信リソースは、完全に異なるものでもよいし一部異なるものでもよい。
【０１０６】
本開示の実施形態において、第１タイプ基準信号のパラメータが第１タイプ基準信号によって用いられる送信リソースである場合、第２タイプ基準信号のパラメータおよび／または第２指定パラメータは、第２タイプ基準信号が用いる送信リソースであり、第１指定パラメータは、第２タイプ基準信号が送信リソースにおいて配置されている位置であり、送信リソースは以下のうち少なくとも１つを含む：送信帯域幅；送信位置；時間ドメイン密度；周波数ドメイン密度。
【０１０７】
本開示の実施形態において、第２タイプ基準信号のポート個数が第１タイプ基準信号のポート個数よりも小さい場合、第２タイプ基準信号を送信する送信モードは、第１タイプ基準信号の規定ポート個数の送信モードに対して規定動作を実施することによって取得する送信モードである。
【０１０８】
上記規定個数は、第１タイプ基準信号のポートと第２タイプ基準信号のポートとの間の対応関係によって決定することができる。例えば第２タイプ基準信号のあるポートが第１タイプ基準信号の４つのポートに対応している場合、規定個数は４となるが、これに限られるものではない。
【０１０９】
上記規定動作は合計動作を含むが、これに限るものではない。
【０１１０】
本開示の実施形態において、第１タイプ基準信号のパラメータが第１タイプ基準信号の直交シーケンスである場合、第２タイプ基準信号のパラメータおよび／または第２指定パラメータは、第１タイプ基準信号の直交シーケンスのサブシーケンスであり、第１指定パラメータは、第２タイプ基準信号の直交シーケンスの長さである。
【０１１１】
第１タイプ基準信号の複数ポートに対応する直交シーケンスのサブシーケンスは、同じである。
【０１１２】
本開示の実施形態において、第１タイプ基準信号のパラメータが第１タイプ基準信号のパターンである場合、第２タイプ基準信号のパラメータおよび／または第２指定パラメータは、第２タイプ基準信号のパターンであり、第１指定パラメータは、第２タイプ基準信号の直交シーケンスの長さである。
【０１１３】
本開示の実施形態において、第１タイプ基準信号のパラメータが以下の少なくとも１つ：パターン；ポート個数；ポートシーケンス；直交シーケンスの長さ；または直交シーケンスである場合、第２タイプ基準信号のパラメータおよび／または第２指定パラメータは以下のうち少なくとも１つ：パターン；ポート個数；ポートシーケンス；直交シーケンスの長さ；または直交シーケンスであり、第１指定パラメータは、第２タイプ基準信号の最大ポート個数であり、第２タイプ基準信号の最大ポート個数は高レイヤシグナリングによって通知される。
【０１１４】
第１タイプ基準信号の複数ポートは、異なる直交シーケンスと同じ疑似ランダムシーケンスを用い、第２タイプ基準信号の複数ポートは、同じ直交シーケンスと異なる疑似ランダムシーケンスを用いる。
【０１１５】
本開示の実施形態において、動作Ｓ２０４の前に、以下のステップを含むことができる：第１タイプ基準信号のパラメータと第２タイプ基準信号のパラメータとの間の対応関係を取得するステップ。動作Ｓ２０４は以下のように実施することができる：第１タイプ基準信号のパラメータと前記対応関係にしたがって、第２タイプ基準信号のパラメータを決定する。
【０１１６】
本開示の実施形態において、以下のステップを含むことができる：第１タイプ基準信号の時間ドメイン直交シーケンスを適用するか否かにしたがって、第２タイプ基準信号を送信するか否かを決定するステップ；または、第２タイプ基準信号を送信するか否かにしたがって、第１タイプ基準信号の時間ドメイン直交シーケンスを適用するか否かを決定するステップ。
【０１１７】
本開示の実施形態において、第１タイプ基準信号のパラメータがポートの個数Ｌ１である場合、取得した第１タイプ基準信号のパラメータにしたがって第２タイプ基準信号のパラメータを決定するステップは以下を含む：Ｌ１ポートをＬ２グループに分割し、各Ｌ２グループ内の第１タイプ基準信号のポートは第２タイプ基準信号の同じポートに対応し、Ｌ１とＬ２は正整数である、ステップ。
【０１１８】
本開示の実施形態において、第２タイプ基準信号のシーケンスは、対応する周波数ドメイン位置における第１タイプ基準信号のシーケンスから決定される。
【０１１９】
本開示の実施形態において、第２タイプ基準信号のシーケンスは、対応する周波数ドメインリソースエレメントにおける第１タイプ基準信号のシーケンスの複製シーケンスである。
【０１２０】
本開示の実施形態において、以下のステップを有することができる：規定態様によりあるいは高レイヤシグナリング構成により、各サブバンドにおける第２タイプ基準信号の送信リソースブロックの位置を取得するステップであって、各サブバンドは複数の送信リソースブロックを含み、サブバンドの分割長はユーザごとに同じまたは異なる、ステップ。
【０１２１】
実施形態において、上記動作を実施する主体は端末デバイスなどであるが、これに限らない。
【０１２２】
上記実施形態の説明を介して、上記実施形態に基づき方法はソフトウェアと必要な一般ハードウェアプラットフォームによって実装でき、ハードウェアを介して実装できることを、当業者は明確に理解することができる。しかし多くの場合において、前者が望ましい実装である。この理解に基づき、本開示の技術的手段のうち必須部分または従来技術に対して有利な部分は、記憶媒体（例えばＲＯＭ／ＲＡＭ、ディスク、光ディスク）に格納したソフトウェア製品の形態で実施することができる。記憶媒体は、本開示の実施形態が記載する方法を端末デバイス（例えば携帯電話、コンピュータ、サーバ、ネットワークデバイス、など）に実施させる命令を含む。
【０１２３】
＜実施形態２＞
本開示の実施形態は、基準信号のパラメータを送信する方法を提供する。図３は、本開示の実施形態にしたがって基準信号のパラメータを送信する方法の概略フローチャートである。図３に示すように、この方法は以下の動作を含む。
【０１２４】
動作Ｓ３０２において、第１タイプ基準信号のパラメータを構成する。
【０１２５】
動作Ｓ３０４において、構成した第１タイプ基準信号のパラメータを第１シグナリングによって端末デバイスに対して送信し、第１タイプ基準信号のパラメータを用いて第２タイプ基準信号のパラメータを決定する。
【０１２６】
上記動作を介して、第２タイプ基準信号のパラメータを、第１タイプ基準信号のパラメータによって決定することができる。第１タイプ基準信号のパラメータは第１シグナリングによってのみ取得され、第２タイプ基準信号のパラメータはこれにしたがって取得できる。したがって、第２タイプ基準信号のパラメータを個別送信するために別のシグナリングを用いる必要はなく、これによりシグナリングオーバーヘッドを減少させることができる。したがって、当該分野における基準信号を取得する際の大きなシグナリングオーバーヘッドの課題を解決できる。
【０１２７】
上記第１タイプ基準信号および／または第２タイプ基準信号は、以下のうち少なくとも１つを含むことができる：データ復調のための基準信号；位相ノイズ補償のための基準信号；ドップラーシフト補償のための基準信号；データ復調のための拡張基準信号。
【０１２８】
第２タイプ基準信号のパラメータは、以下のうち少なくとも１つによって決定することができる：第１タイプ基準信号のパラメータから第２タイプ基準信号のパラメータを直接決定するステップ；第１タイプ基準信号のパラメータと第２タイプ基準信号の第２指定パラメータから、第２タイプ基準信号のパラメータを結合的に決定するステップ。
【０１２９】
上記方法はさらに以下のステップを含むことができる：第２シグナリングによって、第２タイプ基準信号の第１指定パラメータを端末デバイスに対して送信するステップ。
【０１３０】
第１タイプ基準信号のパラメータは、以下の少なくとも１つを含む：第１タイプ基準信号のパターン；第１タイプ基準信号のポート個数；第１タイプ基準信号のポート番号；第１タイプ基準信号が用いる直交コードの長さ；第１タイプ基準信号が用いる直交コードシーケンス；第１タイプ基準信号が用いる直交コードシーケンスのインデックス；第１タイプ基準信号が用いる送信リソース；第１タイプ基準信号のシーケンスを生成するために用いるパラメータ；第１タイプ基準信号のシーケンスを生成する態様；第１タイプ基準信号が用いるシーケンスタイプ；第１タイプ基準信号が用いる波形；第１タイプ基準信号が用いる送信モード。
【０１３１】
第２タイプ基準信号のパラメータは、以下のうち少なくとも１つを含む：第２タイプ基準信号のパターン；第２タイプ基準信号のポート個数；第２タイプ基準信号のポート番号；第２タイプ基準信号が用いる直交コードの長さ；第２タイプ基準信号が用いる直交コードシーケンス；第２タイプ基準信号が用いる直交コードシーケンスのインデックス；第２タイプ基準信号が用いる送信リソース；第２タイプ基準信号のシーケンスを生成するために用いるパラメータ；第２タイプ基準信号のシーケンスを生成する態様；第２タイプ基準信号が用いるシーケンスタイプ；第２タイプ基準信号が用いる波形；第２タイプ基準信号が用いる送信モード。
【０１３２】
第２タイプ基準信号のポートは複数のポートグループへ分割され、複数ポートグループは時間分割によって区別される。
【０１３３】
第２タイプ基準信号の異なるポートが用いる送信リソースは、完全に異なるものでもよいし一部異なるものでもよい。
【０１３４】
本開示の実施形態において、第１タイプ基準信号のパラメータが第１タイプ基準信号によって用いられる送信リソースである場合、第２タイプ基準信号のパラメータは、第２タイプ基準信号が用いる送信リソースであり、第１指定パラメータは、第２タイプ基準信号が送信リソースにおいて配置されている位置であり、送信リソースは以下のうち少なくとも１つを含む：送信帯域幅；送信位置；時間ドメイン密度；周波数ドメイン密度。
【０１３５】
本開示の実施形態において、第２タイプ基準信号のポート個数が第１タイプ基準信号のポート個数よりも小さい場合、第２タイプ基準信号を送信する送信モードは、第１タイプ基準信号の規定ポート個数の送信モードに対して規定動作を実施することによって取得する送信モードである。
【０１３６】
本開示の実施形態において、第１タイプ基準信号のパラメータが第１タイプ基準信号の直交シーケンスである場合、第２タイプ基準信号のパラメータは、第１タイプ基準信号の直交シーケンスのサブシーケンスを示し、第１指定パラメータは、第２タイプ基準信号の直交シーケンスの長さである。
【０１３７】
第１タイプ基準信号の複数ポートに対応する直交シーケンスのサブシーケンスは、同じである。
【０１３８】
本開示の実施形態において、第１タイプ基準信号のパラメータが第１タイプ基準信号のパターンである場合、第２タイプ基準信号のパラメータおよび／または第２指定パラメータは、第２タイプ基準信号のパターンであり、第１指定パラメータは、第２タイプ基準信号の直交シーケンスの長さである。
【０１３９】
本開示の実施形態において、第１タイプ基準信号のパラメータが以下の少なくとも１つ：パターン；ポート個数；ポートシーケンス；直交シーケンスの長さ；または直交シーケンスである場合、第２タイプ基準信号のパラメータおよび／または第２指定パラメータは以下のうち少なくとも１つ：パターン；ポート個数；ポートシーケンス；直交シーケンスの長さ；または直交シーケンスであり、第１指定パラメータは、第２タイプ基準信号の最大ポート個数であり、第２タイプ基準信号の最大ポート個数は高レイヤシグナリングによって通知される。
【０１４０】
本開示の実施形態において、第１タイプ基準信号の複数ポートは、異なる直交シーケンスと同じ疑似ランダムシーケンスを用い、第２タイプ基準信号の複数ポートは、同じ直交シーケンスと異なる疑似ランダムシーケンスを用いる。
【０１４１】
本開示の実施形態において、動作Ｓ３０４の前に、以下のステップを含むことができる：端末デバイスからフィードバックされ、第１タイプ基準信号のパラメータと第２タイプ基準信号のパラメータとの間の対応関係を示す通知情報を受信するステップ；前記通知情報にしたがって、第１タイプ基準信号のパラメータと第２タイプ基準信号のパラメータとの間の対応関係を構成するステップ。
【０１４２】
上記通知情報は以下のうち少なくとも１つを含むことができる：第１タイプ基準信号と第２タイプ基準信号との間のポート対応関係；第２タイプ基準信号のポート個数。
【０１４３】
本開示の実施形態において、以下のステップを含むことができる：第１タイプ基準信号の時間ドメイン直交シーケンスの適用を構成するステップ、または第２タイプ基準信号の送信を構成するステップ。
【０１４４】
本開示の実施形態において、第１タイプ基準信号のパラメータがポートの個数Ｌ１である場合、取得した第１タイプ基準信号のパラメータにしたがって第２タイプ基準信号のパラメータを決定するステップは以下を含む：Ｌ１ポートをＬ２グループに分割し、各Ｌ２グループ内の第１タイプ基準信号のポートは第２タイプ基準信号の同じポートに対応し、Ｌ１とＬ２は正整数である、ステップ。
【０１４５】
本開示の実施形態において、第２タイプ基準信号のシーケンスは、対応する周波数ドメイン位置における第１タイプ基準信号のシーケンスから決定される。
【０１４６】
本開示の実施形態において、第２タイプ基準信号のシーケンスは、対応する周波数ドメインリソースエレメントにおける第１タイプ基準信号のシーケンスの複製シーケンスである。
【０１４７】
本開示の実施形態において、以下のステップを有することができる：規定態様によりあるいは高レイヤシグナリング構成により、各サブバンドにおける第２タイプ基準信号の送信リソースブロックの位置を構成するステップであって、各サブバンドは複数の送信リソースブロックを含み、サブバンドの分割長はユーザごとに同じまたは異なる、ステップ。
【０１４８】
実施形態において、上記動作を実施する主体は端末デバイスなどであるが、これに限らない。
【０１４９】
上記実施形態の説明を介して、上記実施形態に基づき方法はソフトウェアと必要な一般ハードウェアプラットフォームによって実装でき、ハードウェアを介して実装できることを、当業者は明確に理解することができる。しかし多くの場合において、前者が望ましい実装である。この理解に基づき、本開示の技術的手段のうち必須部分または従来技術に対して有利な部分は、記憶媒体（例えばＲＯＭ／ＲＡＭ、ディスク、光ディスク）に格納したソフトウェア製品の形態で実施することができる。記憶媒体は、本開示の実施形態が記載する方法を端末デバイス（例えば携帯電話、コンピュータ、サーバ、ネットワークデバイス、など）に実施させる命令を含む。
【０１５０】
＜実施形態３＞
本開示の実施形態はさらに、基準信号のパラメータを決定する装置を提供する。この装置は、上記望ましい実施形態を実装するために用いられ、既に記載した事項は検討しない。以下において、用語「モジュール」は、規定機能を実装するソフトウェアおよび／またはハードウェアの組み合わせである。以下の実施形態で記載するデバイスはソフトウェアで実装することが望ましいが、ハードウェアまたはソフトウェアとハードウェアの組み合わせによる実装も可能である。
【０１５１】
図４は、本開示の実施形態にしたがって基準信号のパラメータを決定する装置の構造ブロック図である。図４に示すように、この装置は以下を備える：第１シグナリングにより、第１タイプ基準信号のパラメータを取得するように構成された、取得モジュール４２；取得モジュール４２と通信し、取得した第１タイプ基準信号のパラメータにしたがって第２タイプ基準信号のパラメータを決定するように構成された、決定モジュール４４。
【０１５２】
上記装置を介して、第１タイプ基準信号のパラメータによって、第２タイプ基準信号のパラメータを決定することができる。第１タイプ基準信号のパラメータは第１シグナリングによってのみ取得され、第２タイプ基準信号のパラメータはこれに対応して取得される。したがって、第２タイプ基準信号のパラメータを個別送信するために別のシグナリングを用いる必要はなく、これによりシグナリングオーバーヘッドを抑制できる。したがって、当該分野において基準信号を取得する際に必要となる多大なシグナリングオーバーヘッドの課題を解決することができる。
【０１５３】
上記第１タイプ基準信号および／または第２タイプ基準信号は、以下のうち少なくとも１つを含む：データ復調のための基準信号；位相ノイズ補償のための基準信号；ドップラーシフト補償のための基準信号；データ復調のための拡張基準信号。
【０１５４】
第２タイプ基準信号のパラメータは、第１タイプ基準信号のパラメータに対して完全依拠してもよいし、完全依拠でなくともよい。決定モジュール４４は以下のステップを実施するように構成することができる：第１タイプ基準信号のパラメータにしたがって第２タイプ基準信号のパラメータを直接決定するステップ；または、第１タイプ基準信号のパラメータと第２タイプ基準信号の第１指定パラメータにしたがって、第２タイプ基準信号の第２指定パラメータを決定するステップであって、前記第１指定パラメータは前記第２指定パラメータと同じまたは異なるパラメータである、ステップ。
【０１５５】
取得モジュール４２は、第２シグナリングによって第２タイプ基準信号の第１指定パラメータを取得するように構成することができる。
【０１５６】
第１タイプ基準信号のパラメータは、以下のうち少なくとも１つを示すことができる：第１タイプ基準信号のパターン；第１タイプ基準信号のポートの個数；第１タイプ基準信号のポート番号；第１タイプ基準信号が用いる直交コードの長さ；第１タイプ基準信号が用いる直交コードシーケンス；第１タイプ基準信号が用いる直交コードシーケンスのインデックス；第１タイプ基準信号が用いる送信リソース；第１タイプ基準信号のシーケンスを生成するために用いるパラメータ；第１タイプ基準信号のシーケンスを生成する態様；第１タイプ基準信号が用いるシーケンスタイプ；第１タイプ基準信号が用いる波形；第１タイプ基準信号が用いる送信モード。
【０１５７】
第２タイプ基準信号のパラメータは、以下のうち少なくとも１つを示すことができる：第２タイプ基準信号のパターン；第２タイプ基準信号のポート個数；第２タイプ基準信号のポート番号；第２タイプ基準信号の直交コードの長さ；第２タイプ基準信号が用いる直交コードシーケンス；第２タイプ基準信号が用いる直交コードシーケンスのインデックス；第２タイプ基準信号が用いる送信リソース；第２タイプ基準信号のシーケンスを生成するために用いるパラメータ；第２タイプ基準信号のシーケンスを生成する態様；第２タイプ基準信号が用いるシーケンスタイプ；第２タイプ基準信号が用いる波形；第２タイプ基準号が用いる送信モード。
【０１５８】
第２タイプ基準信号のポートは複数のポートグループに分割され、複数のポートグループは時間分割によって区別することができるが、これに限らない。
【０１５９】
第２タイプ基準信号のそれぞれ異なるポートが用いる送信リソースは、完全に異なるものでもよいし一部異なるものでもよい。
【０１６０】
実施形態において、第１タイプ基準信号のパラメータが第１タイプ基準信号によって用いられる送信リソースである場合、第２タイプ基準信号のパラメータおよび／または第２指定パラメータは、第２タイプ基準信号が用いる送信リソースであり、第１指定パラメータは、第２タイプ基準信号が送信リソースにおいて配置されている位置であり、送信リソースは以下のうち少なくとも１つを含む：送信帯域幅；送信位置；時間ドメイン密度；周波数ドメイン密度。
【０１６１】
実施形態において、第２タイプ基準信号のポート個数が第１タイプ基準信号のポート個数よりも小さい場合、第２タイプ基準信号を送信する送信モードは、第１タイプ基準信号の規定ポート個数の送信モードに対して規定動作を実施することによって取得する送信モードである。
【０１６２】
実施形態において、第１タイプ基準信号のパラメータが第１タイプ基準信号の直交シーケンスである場合、第２タイプ基準信号のパラメータおよび／または第２指定パラメータは、第１タイプ基準信号の直交シーケンスのサブシーケンスであり、第１指定パラメータは、第２タイプ基準信号の直交シーケンスの長さである。
【０１６３】
第１タイプ基準信号の複数ポートに対応する直交シーケンスのサブシーケンスは、同じである。
【０１６４】
実施形態において、第１タイプ基準信号のパラメータが第１タイプ基準信号のパターンである場合、第２タイプ基準信号のパラメータおよび／または第２指定パラメータは、第２タイプ基準信号のパターンであり、第１指定パラメータは、第２タイプ基準信号の直交シーケンスの長さである。
【０１６５】
本開示の実施形態において、第１タイプ基準信号のパラメータが以下の少なくとも１つ：パターン；ポート個数；ポートシーケンス；直交シーケンスの長さ；または直交シーケンスである場合、第２タイプ基準信号のパラメータおよび／または第２指定パラメータは以下のうち少なくとも１つ：パターン；ポート個数；ポートシーケンス；直交シーケンスの長さ；または直交シーケンスであり、第１指定パラメータは、第２タイプ基準信号の最大ポート個数であり、第２タイプ基準信号の最大ポート個数は高レイヤシグナリングによって通知される。
【０１６６】
第１タイプ基準信号の複数ポートは、異なる直交シーケンスと同じ疑似ランダムシーケンスを用い、第２タイプ基準信号の複数ポートは、同じ直交シーケンスと異なる疑似ランダムシーケンスを用いる。
【０１６７】
本開示の実施形態において、取得モジュール４２は、以下のステップを実施するように構成することができる：第１タイプ基準信号のパラメータと第２タイプ基準信号のパラメータとの間の対応関係を取得するステップ。決定モジュール４４は、以下のステップを実施するように構成することができる：第１タイプ基準信号のパラメータと前記対応関係にしたがって、第２タイプ基準信号のパラメータを決定する。
【０１６８】
本開示の実施形態において、前記装置は以下を備えることができる：決定モジュール４４と通信し、以下のステップを実施するように構成された受信モジュール：第１タイプ基準信号の時間ドメイン直交シーケンスを適用するか否かにしたがって、第２タイプ基準信号を送信するか否かを決定するステップ；または、第２タイプ基準信号を送信するか否かにしたがって、第１タイプ基準信号の時間ドメイン直交シーケンスを適用するか否かを決定するステップ。
【０１６９】
本開示の実施形態において、決定モジュール４４は以下のステップを実施するように構成されている：第１タイプ基準信号のパラメータがポートの個数Ｌ１である場合、Ｌ１ポートをＬ２グループに分割し、各Ｌ２グループ内の第１タイプ基準信号のポートは第２タイプ基準信号の同じポートに対応し、Ｌ１とＬ２は正整数である、ステップ。
【０１７０】
本開示の実施形態において、第２タイプ基準信号のシーケンスは、対応する周波数ドメイン位置における第１タイプ基準信号のシーケンスから決定される。
【０１７１】
本開示の実施形態において、第２タイプ基準信号のシーケンスは、対応する周波数ドメインリソースエレメントにおける第１タイプ基準信号のシーケンスの複製シーケンスである。
【０１７２】
本開示の実施形態において、取得モジュール４２は以下のステップを実施するように構成することができる：規定態様によりあるいは高レイヤシグナリング構成により、各サブバンドにおける第２タイプ基準信号の送信リソースブロックの位置を取得するステップであって、各サブバンドは複数の送信リソースブロックを含み、サブバンドの分割長はユーザごとに同じまたは異なる、ステップ。
【０１７３】
実施形態において、上記動作を実施する主体は端末デバイスなどであるが、これに限らない。
【０１７４】
上記モジュールはソフトウェアまたはハードウェアによって実装することができる。後者については以下の態様で実装できるが、これに限らない：上記モジュールが同じプロセッサ内に配置される；上記モジュールが任意の組み合わせ形式で異なるプロセッサ内に配置される。
【０１７５】
＜実施形態４＞
本開示の実施形態は、基準信号のパラメータを送信する装置を提供する。図５は、本開示の実施形態にしたがって基準信号のパラメータを送信する装置の構造ブロック図である。
【０１７６】
図５に示すように、この装置は以下を備える：第１タイプ基準信号のパラメータを構成するように構成された構成モジュール５２；構成モジュール５２と通信し、第１シグナリングによって第１タイプ基準信号の構成したパラメータを端末デバイスに対して送信するように構成された送信モジュール５４。第１タイプ基準信号のパラメータを用いて、第２タイプ基準信号のパラメータを決定する。
【０１７７】
上記装置を介して、第１タイプ基準信号のパラメータによって、第２タイプ基準信号のパラメータを決定することができる。第１タイプ基準信号のパラメータは第１シグナリングによってのみ取得され、第２タイプ基準信号のパラメータはこれに対応して取得される。したがって、第２タイプ基準信号のパラメータを個別送信するために別のシグナリングを用いる必要はなく、これによりシグナリングオーバーヘッドを抑制できる。したがって、当該分野において基準信号を取得する際に必要となる多大なシグナリングオーバーヘッドの課題を解決することができる。
【０１７８】
上記第１タイプ基準信号および／または第２タイプ基準信号は、以下のうち少なくとも１つを含むことができる：データ復調のための基準信号；位相ノイズ補償のための基準信号；ドップラーシフト補償のための基準信号；データ復調のための拡張基準信号。
【０１７９】
第２タイプ基準信号のパラメータは、以下のうち少なくとも１つによって決定することができる：第１タイプ基準信号のパラメータから第２タイプ基準信号のパラメータを直接決定するステップ；第１タイプ基準信号のパラメータと第２タイプ基準信号の第１指定パラメータから、第２タイプ基準信号のパラメータを結合的に決定するステップ。
【０１８０】
送信モジュール５４はさらに、第２シグナリングによって、第２タイプ基準信号の第１指定パラメータを端末デバイスに対して送信するように構成することができる。
【０１８１】
第１タイプ基準信号のパラメータは、以下の少なくとも１つを含む：第１タイプ基準信号のパターン；第１タイプ基準信号のポート個数；第１タイプ基準信号のポート番号；第１タイプ基準信号が用いる直交コードの長さ；第１タイプ基準信号が用いる直交コードシーケンス；第１タイプ基準信号が用いる直交コードシーケンスのインデックス；第１タイプ基準信号が用いる送信リソース；第１タイプ基準信号のシーケンスを生成するために用いるパラメータ；第１タイプ基準信号のシーケンスを生成する態様；第１タイプ基準信号が用いるシーケンスタイプ；第１タイプ基準信号が用いる波形；第１タイプ基準信号が用いる送信モード。
【０１８２】
第２タイプ基準信号のパラメータは、以下のうち少なくとも１つを含む：第２タイプ基準信号のパターン；第２タイプ基準信号のポート個数；第２タイプ基準信号のポート番号；第２タイプ基準信号が用いる直交コードの長さ；第２タイプ基準信号が用いる直交コードシーケンス；第２タイプ基準信号が用いる直交コードシーケンスのインデックス；第２タイプ基準信号が用いる送信リソース；第２タイプ基準信号のシーケンスを生成するために用いるパラメータ；第２タイプ基準信号のシーケンスを生成する態様；第２タイプ基準信号が用いるシーケンスタイプ；第２タイプ基準信号が用いる波形；第２タイプ基準信号が用いる送信モード。
【０１８３】
第２タイプ基準信号のポートは複数のポートグループへ分割され、複数ポートグループは時間分割によって区別される。
【０１８４】
第２タイプ基準信号の異なるポートが用いる送信リソースは、完全に異なるものでもよいし一部異なるものでもよい。
【０１８５】
本開示の実施形態において、第１タイプ基準信号のパラメータが第１タイプ基準信号によって用いられる送信リソースである場合、第２タイプ基準信号のパラメータは、第２タイプ基準信号が用いる送信リソースであり、第１指定パラメータは、第２タイプ基準信号が送信リソースにおいて配置されている位置であり、送信リソースは以下のうち少なくとも１つを含む：送信帯域幅；送信位置；時間ドメイン密度；周波数ドメイン密度。
【０１８６】
本開示の実施形態において、第２タイプ基準信号のポート個数が第１タイプ基準信号のポート個数よりも小さい場合、第２タイプ基準信号を送信する送信モードは、第１タイプ基準信号の規定ポート個数の送信モードに対して規定動作を実施することによって取得する送信モードである。
【０１８７】
本開示の実施形態において、第１タイプ基準信号のパラメータが第１タイプ基準信号の直交シーケンスである場合、第２タイプ基準信号のパラメータは、第１タイプ基準信号の直交シーケンスのサブシーケンスであり、第１指定パラメータは、第２タイプ基準信号の直交シーケンスの長さである。
【０１８８】
第１タイプ基準信号の複数ポートに対応する直交シーケンスのサブシーケンスは、同じである。
【０１８９】
実施形態において、第１タイプ基準信号のパラメータが第１タイプ基準信号のパターンである場合、第２タイプ基準信号のパラメータおよび／または第２指定パラメータは、第２タイプ基準信号のパターンであり、第１指定パラメータは、第２タイプ基準信号の直交シーケンスの長さである。
【０１９０】
本開示の実施形態において、第１タイプ基準信号のパラメータが以下の少なくとも１つ：パターン；ポート個数；ポートシーケンス；直交シーケンスの長さ；または直交シーケンスである場合、第２タイプ基準信号のパラメータおよび／または第２指定パラメータは以下のうち少なくとも１つ：パターン；ポート個数；ポートシーケンス；直交シーケンスの長さ；または直交シーケンスであり、第１指定パラメータは、第２タイプ基準信号の最大ポート個数であり、第２タイプ基準信号の最大ポート個数は高レイヤシグナリングによって通知される。
【０１９１】
本開示の実施形態において、第１タイプ基準信号の複数ポートは、異なる直交シーケンスと同じ疑似ランダムシーケンスを用い、第２タイプ基準信号の複数ポートは、同じ直交シーケンスと異なる疑似ランダムシーケンスを用いる。
【０１９２】
本開示の実施形態において、装置はさらに以下を備えることができる：構成モジュール５２と接続され、端末デバイスからフィードバックされる第１タイプ基準信号のパラメータと第２タイプ基準信号のパラメータとの間の対応関係を示す通知情報を受信する、受信モジュール。構成モジュール５２を用いて、前記通知情報にしたがって、第１タイプ基準信号のパラメータと第２タイプ基準信号のパラメータとの間の対応関係を構成する。
【０１９３】
上記通知情報は以下のうち少なくとも１つを含むことができる：第１タイプ基準信号と第２タイプ基準信号との間のポート対応関係；第２タイプ基準信号のポート個数。
【０１９４】
実施形態において、構成モジュール５２はさらに、以下のステップを実施するように構成することができる：第１タイプ基準信号の時間ドメイン直交シーケンスの適用を構成するステップ、または第２タイプ基準信号の送信を構成するステップ。
【０１９５】
実施形態において、第１タイプ基準信号のパラメータがポートの個数Ｌ１である場合、第２タイプ基準信号のパラメータを決定するステップは以下を含む：Ｌ１ポートをＬ２グループに分割し、各Ｌ２グループ内の第１タイプ基準信号のポートは第２タイプ基準信号の同じポートに対応し、Ｌ１とＬ２は正整数である、ステップ。
【０１９６】
本開示の実施形態において、第２タイプ基準信号のシーケンスは、対応する周波数ドメイン位置における第１タイプ基準信号のシーケンスから決定される。
【０１９７】
本開示の実施形態において、第２タイプ基準信号のシーケンスは、対応する周波数ドメインリソースエレメントにおける第１タイプ基準信号のシーケンスの複製シーケンスである。
【０１９８】
本開示の実施形態において、構成モジュール５２はさらに以下のステップを実施するように構成することができる：規定態様によりあるいは高レイヤシグナリング構成により、各サブバンドにおける第２タイプ基準信号の送信リソースブロックの位置を構成するステップであって、各サブバンドは複数の送信リソースブロックを含み、サブバンドの分割長はユーザごとに同じまたは異なる、ステップ。
【０１９９】
実施形態において、上記動作を実施する主体は端末デバイスなどであるが、これに限らない。
【０２００】
上記モジュールはソフトウェアまたはハードウェアによって実装することができる。後者については以下の態様で実装できるが、これに限らない：上記モジュールが同じプロセッサ内に配置される；上記モジュールが任意の組み合わせ形式で異なるプロセッサ内に配置される。
【０２０１】
＜実施形態５＞
本開示の実施形態は、端末デバイスを提供する。図６は、本開示の実施形態に基づく端末デバイスの概略構造図である。
【０２０２】
図６に示すように、端末デバイスは以下を備える：第１シグナリングにより、第１タイプ基準信号のパラメータを取得するように構成された、無線周波数モジュール６２；無線周波数モジュール６２と通信し、取得した第１タイプ基準信号のパラメータにしたがって第２タイプ基準信号のパラメータを決定するように構成された、プロセッサ６４。
【０２０３】
上記端末デバイスを介して、第１タイプ基準信号のパラメータによって、第２タイプ基準信号のパラメータを決定することができる。第１タイプ基準信号のパラメータは第１シグナリングによってのみ取得され、第２タイプ基準信号のパラメータはこれに対応して取得される。したがって、第２タイプ基準信号のパラメータを個別送信するために別のシグナリングを用いる必要はなく、これによりシグナリングオーバーヘッドを抑制できる。したがって、当該分野において基準信号を取得する際に必要となる多大なシグナリングオーバーヘッドの課題を解決することができる。
【０２０４】
上記第１タイプ基準信号および／または第２タイプ基準信号は、以下のうち少なくとも１つを含む：データ復調のための基準信号；位相ノイズ補償のための基準信号；ドップラーシフト補償のための基準信号；データ復調のための拡張基準信号。
【０２０５】
第２タイプ基準信号のパラメータは、第１タイプ基準信号のパラメータに対して完全依拠してもよいし、完全依拠でなくともよい。プロセッサ６４は以下のステップを実施するように構成することができる：第１タイプ基準信号のパラメータにしたがって第２タイプ基準信号のパラメータを直接決定するステップ；または、第１タイプ基準信号のパラメータと第２タイプ基準信号の第１指定パラメータにしたがって、第２タイプ基準信号の第２指定パラメータを決定するステップであって、前記第１指定パラメータは前記第２指定パラメータと同じまたは異なるパラメータである、ステップ。
【０２０６】
無線周波数モジュール６２は、第２シグナリングによって第２タイプ基準信号の第１指定パラメータを取得するように構成することができる。
【０２０７】
第１タイプ基準信号のパラメータは、以下のうち少なくとも１つを示すことができる：第１タイプ基準信号のパターン；第１タイプ基準信号のポートの個数；第１タイプ基準信号のポート番号；第１タイプ基準信号が用いる直交コードの長さ；第１タイプ基準信号が用いる直交コードシーケンス；第１タイプ基準信号が用いる直交コードシーケンスのインデックス；第１タイプ基準信号が用いる送信リソース；第１タイプ基準信号のシーケンスを生成するために用いるパラメータ；第１タイプ基準信号のシーケンスを生成する態様；第１タイプ基準信号が用いるシーケンスタイプ；第１タイプ基準信号が用いる波形；第１タイプ基準信号が用いる送信モード。
【０２０８】
第２タイプ基準信号のパラメータは、以下のうち少なくとも１つを示すことができる：第２タイプ基準信号のパターン；第２タイプ基準信号のポート個数；第２タイプ基準信号のポート番号；第２タイプ基準信号が用いる直交コードの長さ；第２タイプ基準信号が用いる直交コードシーケンス；第２タイプ基準信号が用いる直交コードシーケンスのインデックス；第２タイプ基準信号が用いる送信リソース；第２タイプ基準信号のシーケンスを生成するために用いるパラメータ；第２タイプ基準信号のシーケンスを生成する態様；第２タイプ基準信号が用いるシーケンスタイプ；第２タイプ基準信号が用いる波形；第２タイプ基準号が用いる送信モード。
【０２０９】
第２タイプ基準信号のポートは複数のポートグループに分割され、複数のポートグループは時間分割によって区別することができるが、これに限らない。
【０２１０】
第２タイプ基準信号のそれぞれ異なるポートが用いる送信リソースは、完全に異なるものでもよいし一部異なるものでもよい。
【０２１１】
本開示の実施形態において、第１タイプ基準信号のパラメータが第１タイプ基準信号によって用いられる送信リソースである場合、第２タイプ基準信号のパラメータおよび／または第２指定パラメータは、第２タイプ基準信号が用いる送信リソースであり、第１指定パラメータは、第２タイプ基準信号が送信リソースにおいて配置されている位置であり、送信リソースは以下のうち少なくとも１つを含む：送信帯域幅；送信位置；時間ドメイン密度；周波数ドメイン密度。
【０２１２】
本開示の実施形態において、第２タイプ基準信号のポート個数が第１タイプ基準信号のポート個数よりも小さい場合、第２タイプ基準信号を送信する送信モードは、第１タイプ基準信号の規定ポート個数の送信モードに対して規定動作を実施することによって取得する送信モードである。
【０２１３】
本開示の実施形態において、第１タイプ基準信号のパラメータが第１タイプ基準信号の直交シーケンスである場合、第２タイプ基準信号のパラメータおよび／または第２指定パラメータは、第１タイプ基準信号の直交シーケンスのサブシーケンスであり、第１指定パラメータは、第２タイプ基準信号の直交シーケンスの長さである。
【０２１４】
第１タイプ基準信号の複数ポートに対応する直交シーケンスのサブシーケンスは、同じである。
【０２１５】
本開示の実施形態において、第１タイプ基準信号のパラメータが以下の少なくとも１つ：パターン；ポート個数；ポートシーケンス；直交シーケンスの長さ；または直交シーケンスである場合、第２タイプ基準信号のパラメータおよび／または第２指定パラメータは以下のうち少なくとも１つ：パターン；ポート個数；ポートシーケンス；直交シーケンスの長さ；または直交シーケンスであり、第１指定パラメータは、第２タイプ基準信号の最大ポート個数であり、第２タイプ基準信号の最大ポート個数は高レイヤシグナリングによって通知される。
【０２１６】
第１タイプ基準信号の複数ポートは、異なる直交シーケンスと同じ疑似ランダムシーケンスを用い、第２タイプ基準信号の複数ポートは、同じ直交シーケンスと異なる疑似ランダムシーケンスを用いる。
【０２１７】
本開示の実施形態において、無線周波数モジュール６２は、以下のステップを実施するように構成することができる：第１タイプ基準信号のパラメータと第２タイプ基準信号のパラメータとの間の対応関係を取得するステップ。プロセッサ６４は、以下のステップを実施するように構成することができる：第１タイプ基準信号のパラメータと前記対応関係にしたがって、第２タイプ基準信号のパラメータを決定する。
【０２１８】
本開示の実施形態において、プロセッサ６４は以下のステップを実施するように構成することができる：第１タイプ基準信号の時間ドメイン直交シーケンスを適用するか否かにしたがって、第２タイプ基準信号を送信するか否かを決定するステップ；または、第２タイプ基準信号を送信するか否かにしたがって、第１タイプ基準信号の時間ドメイン直交シーケンスを適用するか否かを決定するステップ。
【０２１９】
本開示の実施形態において、プロセッサ６４は以下のステップを実施するように構成されている：第１タイプ基準信号のパラメータがポートの個数Ｌ１である場合、Ｌ１ポートをＬ２グループに分割し、各Ｌ２グループ内の第１タイプ基準信号のポートは第２タイプ基準信号の同じポートに対応し、Ｌ１とＬ２は正整数である、ステップ。
【０２２０】
実施形態において、第２タイプ基準信号のシーケンスは、対応する周波数ドメイン位置における第１タイプ基準信号のシーケンスから決定される。
【０２２１】
本開示の実施形態において、第２タイプ基準信号のシーケンスは、対応する周波数ドメインリソースエレメントにおける第１タイプ基準信号のシーケンスの複製シーケンスである。
【０２２２】
本開示の実施形態において、プロセッサ６４は以下のステップを実施するように構成することができる：規定態様によりあるいは高レイヤシグナリング構成により、各サブバンドにおける第２タイプ基準信号の送信リソースブロックの位置を取得するステップであって、各サブバンドは複数の送信リソースブロックを含み、サブバンドの分割長はユーザごとに同じまたは異なる、ステップ。
【０２２３】
＜実施形態６＞
本開示の実施形態は、ベースステーションを提供する。図７は、本開示の実施形態に基づくベースステーションの構造ブロック図である。
【０２２４】
図７に示すように、ベースステーションは以下を備える：第１タイプ基準信号のパラメータを構成するように構成されたプロセッサ７２；プロセッサ７２と通信し、第１シグナリングによって第１タイプ基準信号の構成したパラメータを端末デバイスに対して送信するように構成された無線周波数モジュール７４。第１タイプ基準信号のパラメータを用いて、第２タイプ基準信号のパラメータを決定する。
【０２２５】
上記ベースステーションを介して、第１タイプ基準信号のパラメータによって、第２タイプ基準信号のパラメータを決定することができるので、第１タイプ基準信号のパラメータは第１シグナリングによってのみ取得され、第２タイプ基準信号のパラメータはこれに対応して取得される。第２タイプ基準信号のパラメータを個別送信するために別のシグナリングを用いる必要はなく、これによりシグナリングオーバーヘッドを抑制できる。したがって、当該分野において基準信号を取得する際に必要となる多大なシグナリングオーバーヘッドの課題を解決することができる。
【０２２６】
上記第１タイプ基準信号および／または第２タイプ基準信号は、以下のうち少なくとも１つを含むことができる：データ復調のための基準信号；位相ノイズ補償のための基準信号；ドップラーシフト補償のための基準信号；データ復調のための拡張基準信号。
【０２２７】
第２タイプ基準信号のパラメータは、以下のうち少なくとも１つによって決定することができる：第１タイプ基準信号のパラメータから第２タイプ基準信号のパラメータを直接決定するステップ；第１タイプ基準信号のパラメータと第２タイプ基準信号の第１指定パラメータから、第２タイプ基準信号のパラメータを結合的に決定するステップ。
【０２２８】
無線周波数モジュール７４はさらに、第２シグナリングによって、第２タイプ基準信号の第１指定パラメータを端末デバイスに対して送信するように構成することができる。
【０２２９】
第１タイプ基準信号のパラメータは、以下の少なくとも１つを含む：第１タイプ基準信号のパターン；第１タイプ基準信号のポート個数；第１タイプ基準信号のポート番号；第１タイプ基準信号が用いる直交コードの長さ；第１タイプ基準信号が用いる直交コードシーケンス；第１タイプ基準信号が用いる直交コードシーケンスのインデックス；第１タイプ基準信号が用いる送信リソース；第１タイプ基準信号のシーケンスを生成するために用いるパラメータ；第１タイプ基準信号のシーケンスを生成する態様；第１タイプ基準信号が用いるシーケンスタイプ；第１タイプ基準信号が用いる波形；第１タイプ基準信号が用いる送信モード。
【０２３０】
第２タイプ基準信号のパラメータは、以下のうち少なくとも１つを含む：第２タイプ基準信号のパターン；第２タイプ基準信号のポート個数；第２タイプ基準信号のポート番号；第２タイプ基準信号が用いる直交コードの長さ；第２タイプ基準信号が用いる直交コードシーケンス；第２タイプ基準信号が用いる直交コードシーケンスのインデックス；第２タイプ基準信号が用いる送信リソース；第２タイプ基準信号のシーケンスを生成するために用いるパラメータ；第２タイプ基準信号のシーケンスを生成する態様；第２タイプ基準信号が用いるシーケンスタイプ；第２タイプ基準信号が用いる波形；第２タイプ基準信号が用いる送信モード。
【０２３１】
第２タイプ基準信号のポートは複数のポートグループへ分割され、複数ポートグループは時間分割によって区別される。
【０２３２】
第２タイプ基準信号の異なるポートが用いる送信リソースは、完全に異なるものでもよいし一部異なるものでもよい。
【０２３３】
本開示の実施形態において、第１タイプ基準信号のパラメータが第１タイプ基準信号によって用いられる送信リソースである場合、第２タイプ基準信号のパラメータは、第２タイプ基準信号が用いる送信リソースであり、第１指定パラメータは、第２タイプ基準信号が送信リソースにおいて配置されている位置であり、送信リソースは以下のうち少なくとも１つを含む：送信帯域幅；送信位置；時間ドメイン密度；周波数ドメイン密度。
【０２３４】
本開示の実施形態において、第２タイプ基準信号のポート個数が第１タイプ基準信号のポート個数よりも小さい場合、第２タイプ基準信号を送信する送信モードは、第１タイプ基準信号の規定ポート個数の送信モードに対して規定動作を実施することによって取得する送信モードである。
【０２３５】
本開示の実施形態において、第１タイプ基準信号のパラメータが第１タイプ基準信号の直交シーケンスである場合、第２タイプ基準信号のパラメータは、第１タイプ基準信号の直交シーケンスのサブシーケンスであり、第１指定パラメータは、第２タイプ基準信号の直交シーケンスの長さである。
【０２３６】
第１タイプ基準信号の複数ポートに対応する直交シーケンスのサブシーケンスは、同じである。
【０２３７】
実施形態において、第１タイプ基準信号のパラメータが第１タイプ基準信号のパターンである場合、第２タイプ基準信号のパラメータおよび／または第２指定パラメータは、第２タイプ基準信号のパターンであり、第１指定パラメータは、第２タイプ基準信号の直交シーケンスの長さである。
【０２３８】
本開示の実施形態において、第１タイプ基準信号のパラメータが以下の少なくとも１つ：パターン；ポート個数；ポートシーケンス；直交シーケンスの長さ；または直交シーケンスである場合、第２タイプ基準信号のパラメータおよび／または第２指定パラメータは以下のうち少なくとも１つ：パターン；ポート個数；ポートシーケンス；直交シーケンスの長さ；または直交シーケンスであり、第１指定パラメータは、第２タイプ基準信号の最大ポート個数であり、第２タイプ基準信号の最大ポート個数は高レイヤシグナリングによって通知される。
【０２３９】
本開示の実施形態において、第１タイプ基準信号の複数ポートは、異なる直交シーケンスと同じ疑似ランダムシーケンスを用い、第２タイプ基準信号の複数ポートは、同じ直交シーケンスと異なる疑似ランダムシーケンスを用いる。
【０２４０】
本開示の実施形態において、無線周波数モジュール７４はさらに以下のステップを実施するように構成することができる：端末デバイスからフィードバックされ、第１タイプ基準信号のパラメータと第２タイプ基準信号のパラメータとの間の対応関係を示す通知情報を受信する、ステップ。プロセッサ７２はさらに、前記通知情報にしたがって、第１タイプ基準信号のパラメータと第２タイプ基準信号のパラメータとの間の対応関係を構成するように構成することができる。
【０２４１】
上記通知情報は以下のうち少なくとも１つを含むことができる：第１タイプ基準信号と第２タイプ基準信号との間のポート対応関係；第２タイプ基準信号のポート個数。
【０２４２】
本開示の実施形態において、プロセッサ７２はさらに、以下のステップを実施するように構成することができる：第１タイプ基準信号の時間ドメイン直交シーケンスの適用を構成するステップ、または第２タイプ基準信号の送信を構成するステップ。
【０２４３】
本開示の実施形態において、プロセッサ７２はさらに以下のステップを実施するように構成することができる：規定態様によりあるいは高レイヤシグナリング構成により、各サブバンドにおける第２タイプ基準信号の送信リソースブロックの位置を構成するステップであって、各サブバンドは複数の送信リソースブロックを含み、サブバンドの分割長はユーザごとに同じまたは異なる、ステップ。
【０２４４】
＜実施形態７＞
本開示の実施形態は、コンピュータ記憶媒体を提供する。これに代えて本実施形態において、上記記憶媒体は、実施形態１または２の方法の動作を実行するプログラムコードを格納するように構成することができる。
【０２４５】
上記記憶媒体は、以下を含むがこれに限るものではない：Ｕディスク、読取専用メモリ（ＲＯＭ）、ランダムアクセスメモリ（ＲＡＭ）、モバイルハードディスク、磁気ディスク、光ディスク、その他任意のプログラムコードを格納できる媒体。
【０２４６】
本実施形態において、プロセッサは記憶媒体が格納しているプログラムコードにしたがって、実施形態１または２の方法の動作を実施する。
【０２４７】
本実施形態の具体例として、上記実施形態とオプション実施形態が記載している例を参照し、詳細については説明しない。
【０２４８】
本願において、直交シーケンスの長さは、直交コードの長さと呼ぶ場合もある。直交シーケンスは直交コードシーケンスと呼ぶ場合があり、直交シーケンスのインデックスは直交コードシーケンスのインデックスと呼ぶ場合もある。
【０２４９】
本開示の実施形態をより理解するため、望ましい実施形態とともに本開示を説明する。
【０２５０】
本開示の実施形態は、第１タイプ基準信号と第２タイプ基準信号との間でシグナリングパラメータを共有し、シグナリングオーバーヘッドを抑制する。一方で基準信号が用いる直交シーケンスは、ユーザ間のより効率的な直交多重化を実現するように配置することができる。
【０２５１】
本願が記載している第１通信ノードは一般に、例えばベースステーションなどのデバイスを指し、第２通信ノードはユーザ端末などのデバイスを指す。
【０２５２】
本願が記載している第１タイプ基準信号は一般に、例えば復調基準信号（ＤＲＳ）などのようなデータ復調のための基準信号のことである。第２タイプ基準信号は、位相ノイズ補償、ドップラーシフト補償、などのための基準信号のことであり、これらは拡張データ復調基準信号であってもよい。すなわち第２タイプ基準信号はデータ復調基準信号であり、例えば受信側が位相ノイズを補償することができるその他タイプの基準信号であってもよい。別例として、２つのタイプの基準信号を用いてデータを復調することができる。これに代えて一方のタイプの基準信号を用いてデータを復調し、他方を用いてチャネル状態情報（ＣＳＩ）を測定することができる。
【０２５３】
ＮＲにおいて、高周波数バンドキャリア（すなわち中心周波数が高い帯域幅）を用いる場合があるので、特に高周波数帯の高次復調を用いてデータ送信するとき、位相ノイズの影響は無視できない。位相ノイズは、時間ドメインシンボル間で位相ずれを生じさせる。位相ノイズの影響が推定されない場合、データ復調の精度が大幅に減少する。時間ドメインシンボル間の位相ずれを推定するため、受信側が第２タイプ基準信号を用いて位相ノイズ補償を実施することができる。一般に第２タイプ基準信号の時間ドメイン密度の要件は、従来のデータ復調基準信号のものよりも高く、位相ノイズによって生じる位相ずれは時間ドメインシンボルにおけるものと類似しており、第２タイプ基準信号の周波数ドメイン密度は従来のＤＭ−ＲＳのように高い必要はない。
【０２５４】
ベースステーションが複数アンテナパネルを用いてデータ送信するとき、複数パネルが同じ水晶発振器に接続されている場合、その水晶発振器に接続されている複数パネルは第２タイプ基準信号を送信するために１つのポートのみを必要とし、これにより位相ノイズの影響を補償する。同じ水晶発振器によって生じる時間ドメインシンボル間の位相ずれは同じだからである。すなわち、第２タイプ基準信号を用いて推定する位相ノイズずれは第１タイプ基準信号の全ポートに対して適用できるので、第１タイプ基準信号の複数ポートを第２タイプ基準信号の１つのポートによって構成すれば足りる。復調基準信号を送信するとき、複数ＤＭ−ＲＳポートが異なる水晶発振器に対応している場合、異なる時間ドメインシンボルにおける各ＤＭ−ＲＳポートの位相ずれを推定するためには、各ＤＭ−ＲＳは対応する第２タイプ基準信号のポートを有する必要がある。したがって一般に、第２タイプ基準信号のポート個数は、第１タイプ基準信号のポート個数以下である、さらに、第１タイプ基準信号のポートと第２タイプ基準信号のポートとの間の対応関係は、ユーザが知っている必要がある。
【０２５５】
図８は、本開示の実施形態に基づく第１タイプ基準信号と第２タイプ基準信号の概略図である。図８に示すように、第１タイプ基準信号は従来のデータ復調のために用いられ、第２タイプ基準信号は位相ノイズの影響を補償するために用いられ、時間ドメイン密度が高い。
【０２５６】
本願が記載しているＰＮシーケンスは、ＬＴＥダウンリンクＣＲＳおよびＤＭＲＳによって用いられるシーケンスのことであり、ＺＣシーケンスはＬＴＥアップリンクＤＭＲＳとＳＲＳが用いるシーケンスのことである。
【０２５７】
第１タイプ基準信号と第２タイプ基準信号が生成され、第１通信ノードまたは第２通信ノードは第１タイプ基準信号と第２タイプ基準信号を送信し、第１タイプ基準信号の特性は第２タイプ基準信号の特性を決定し、または第１タイプ基準信号の特定の特性は第２タイプ基準信号の特定の特性と同じであり、第２タイプ基準信号は送信される場合とされない場合がある。
【０２５８】
第１タイプ基準信号の特性と第２タイプ基準信号の特性は、以下のうち少なくとも１つである：基準信号のパターン；ポート個数；ポート番号；直交コードの長さ；直交コードシーケンス；直交コードシーケンスのインデックス；送信リソース；シーケンスを生成するために用いるパラメータ；シーケンスの生成態様；使用するシーケンスタイプ；使用する波形；使用する送信モード。
【０２５９】
全特性ではなく、第１タイプ基準信号の特性の一部が第２タイプ基準信号の特性の一部を決定する場合もある。またこの依存関係において、第１タイプ基準信号の特性と第２タイプ基準信号の特性は異なる場合がある。
【０２６０】
別観点から、ベースステーションは第１タイプ基準信号の特性を通知するシグナリングを利用して、第２タイプ基準信号の特性パラメータを同時に通知することが理解される。換言すると、第１タイプ基準信号のある特性と第２タイプ基準信号のある特性は、同じ構成パラメータセットを共有し、第１タイプ基準信号の特性と第２タイプ基準信号の特性は必ずしも同じではない。
【０２６１】
第２タイプ基準信号は、なしでもよいし、構成してもよいし、送信しなくてもよい。第２タイプ基準信号がない場合、第１タイプ基準信号と第２タイプ基準信号との間の特性依存関係はない。
【０２６２】
本願が記載している基準信号のパターンは、基準信号の位置、時間ドメイン密度、周波数ドメイン密度、を含む。
【０２６３】
＜実施例１＞
第１タイプ基準信号の特性が基準信号のパターンを含む場合、第１タイプ基準信号のパターンは第２タイプ基準信号のパターンを決定する。
【０２６４】
第１タイプ基準信号のパターンは、第２タイプ基準信号のパターンまたはパターン候補を決定する。すなわち、第２タイプ基準信号のパターンは、一部または全部が第１タイプ基準信号に依拠する。図９は、本開示の実施形態に基づく周波数ドメインにおける第１タイプ基準信号のパターンと第２タイプ基準信号のパターンの概略図である。図９に示すように、周波数ドメインにおける第１タイプ基準信号のパターンが図９「ａ」である場合、すなわち周波数ドメイン密度が比較的高い場合、周波数ドメインにおける第２タイプ基準信号のパターン候補は、図９「ａ」「ｂ」「ｃ」である。すなわち、複数パターンの最大周波数ドメイン密度も比較的高い。周波数ドメインにおける第１タイプ基準信号のパターンが図９「ｄ」である場合、すなわち周波数ドメイン密度が比較的低い場合、周波数ドメインにおける第２タイプ基準信号のパターン候補は図９「ｄ」「ｅ」である。すなわち、複数パターンの最大周波数ドメイン密度も比較的低い。
【０２６５】
さらに、第１タイプ基準信号の周波数ドメイン密度は、第２タイプ基準信号の周波数ドメイン密度または第２タイプ基準信号の最大周波数ドメイン密度を決定し、ここでいう周波数ドメイン密度は１つのＰＲＢに含まれるサブキャリア個数のことである。例えば第１タイプ基準信号が１つのＰＲＢ内においてＭ１個のサブキャリアで送信される場合、第２タイプ基準信号は１つのＰＲＢにおいて最大Ｌ１個のサブキャリアで送信され、第１タイプ基準信号が１つのＰＲＢにおいてＭ２個のサブキャリアを送信する場合、第２タイプ基準信号は１つのＰＲＢにおいて最大Ｌ２個のサブキャリアを送信する。Ｍ１＞Ｍ２であればＬ１＞Ｌ２であり、Ｍ１＜Ｍ２であればＬ１＜Ｌ２である。
【０２６６】
第２タイプ基準信号のパターンは、第１タイプ基準信号のパターンに対して必ずしも完全に依拠しない。第２タイプ基準信号について、ベースステーションはさらに、第２タイプ基準信号のパターンに関するシグナリングをユーザのために構成することができる。すなわち、第２タイプ基準信号のパターンは、第１タイプ基準信号のパターンと別のシグナリングにしたがって決定することができる。例えば周波数ドメインにおける第１タイプ基準信号のパターンが図９「ａ」である場合、すなわち周波数ドメイン密度が高い場合、周波数ドメインにおける第２タイプ基準信号のパターン候補は図９「ａ」「ｂ」「ｃ」であり、ユーザは別のシグナリングにしたがって、「ａ」「ｂ」「ｃ」いずれが第２タイプ基準信号のパターンであるのかを決定できる。
【０２６７】
まとめると、ベースステーションは、第１タイプ基準信号のパターンを通知するシグナリングを用いて、第２タイプ基準信号のパターンの情報を暗黙的に通知することができる。
【０２６８】
＜実施例２＞
第１タイプ基準信号の特性が基準信号のパターンと直交コードの長さを含む場合、第１タイプ基準信号のパターンと直交コードの長さは、第２タイプ基準信号のパターンと直交コードの長さを決定する。
【０２６９】
第１タイプ基準信号のパターンと直交コードの長さは、第２タイプ基準信号のパターンと直交コードの長さを完全にまたは一部決定する。すなわち、第２タイプ基準信号のパターンと直交コードの長さは、第１タイプ基準信号のパターンによって一部決定することができる。図９に示すように、周波数ドメインにおける第１タイプ基準信号のパターンが図９「ａ」である場合、すなわち周波数ドメイン密度が高い場合、長さ４の直交コードを用いて、４つの連続サブキャリア上で最大４ポートを多重化する。周波数ドメインにおける第２タイプ基準信号のパターン候補は図９「ａ」「ｂ」「ｃ」であり、図９「ａ」に対応する直交コードの長さは４であり、図９「ｂ」に対応する直交コードの長さは２であり、図９「ｃ」に対応する直交コードの長さは１である。すなわち、直交コード多重化は周波数ドメインにおいては実施しない。第２タイプ基準信号のパターンと直交コードの長さは第１タイプ基準信号に対して必ずしも完全に依拠しないことが分かる。すなわちベースステーションは、第１タイプ基準信号のパターンと直交コードの長さを通知するシグナリングによって、および別のシグナリングによって、第２タイプ基準信号のパターンと直交コードの長さをユーザに対して通知することができる。また図９の「ａ」「ｂ」「ｃ」の例において、直交コードの長さが２であることをベースステーションが別のシグナリングによってユーザに対して通知する場合、ユーザは第２タイプ基準信号のパターンが図９「ｂ」であることを決定することができる。
【０２７０】
直交コードは、ＯＣＣ（直交カバーコード）シーケンスのことであるが、これに限るものではない。もちろん、例えばＤＦＴ直交シーケンスなどのその他直交シーケンスであってもよい。
【０２７１】
図１０は、本開示の実施例２にしたがって符号分割多重化を用いる基準信号の概略図である。図１０に示すように、基準信号は符号分割を用い、直交コードの長さは８である。本例において、長さ８の直交コードは８つのＲＥを占有する。ＯＣＣ直交シーケンスを用いる場合、最大８直交ポートの基準信号を多重化することができ、８直交ポートが用いる直交シーケンスはそれぞれ表１が示すようにＱ１、Ｑ２、Ｑ３、Ｑ４、Ｑ５、Ｑ６、Ｑ７、Ｑ８である。
【表１】
0006853888.tif 000002
【０２７２】
基準信号が、表２に示すそれぞれＧ１、Ｇ２、Ｇ３、Ｇ４の長さ４のＯＣＣ直交シーケンスを用いる場合、長さ４のＯＣＣシーケンスを用いて、４つのＲＥ上の基準信号の最大４ポートを符号分割多重化することができる。
【表２】
0006853888.tif 000003
【０２７３】
基準信号が、表３に示すそれぞれＰ１、Ｐ２の長さ２のＯＣＣ直交シーケンスを用いる場合、長さ２のＯＣＣシーケンスを用いて、２つのＲＥ上の基準信号の最大２ポートを符号分割多重化することができる。
【表３】
0006853888.tif 000004
【０２７４】
ＯＣＣの長さが１である場合、ＲＥ上で直交コードを用いない。したがって単一ポートに対応するコードは、Ｐ０＝［１］とみなすことができる。
【０２７５】
ベースステーションがユーザに対してＸポートの基準信号を割り当てる場合、各ポートはＸシーケンスに対応する。例えば直交シーケンスの長さが２である場合、２ポートの基準信号は２つの直交シーケンス（例えばＰ１とＰ２）を占有する。ユーザが１ポートのみを構成した場合、直交シーケンスは１つのみ（例えばＰ１またはＰ２）存在する。複数ポートの場合、ベースステーションは通常、構成インデックスを用いて、各ポートを個別通知することなく複数ポートの直交シーケンスを通知する。ＬＴＥと同様に、閉ループ空間多重化データ復調基準信号において、１ポートは１データ層に対応する。
【０２７６】
一般に、異なるポートは直交コードの異なるシーケンスと直交コードの異なる長さに対応するので、本願において、Ｐ０，Ｐ１，Ｐ２，Ｇ１，Ｇ２，Ｇ３，Ｇ４，Ｑ１，Ｑ２，Ｑ３，Ｑ４，Ｑ５，Ｑ６，Ｑ７，Ｑ８に対応する第１タイプ基準信号のポート番号は、それぞれ＃Ｍ０，♯Ｍ１，♯Ｍ２，♯Ｍ３，・・・♯Ｍ１２であることを想定する。長さ８のＯＣＣなどのシーケンスが存在しない場合、対応するポートも存在しない。Ｐ０，Ｐ１，Ｐ２，Ｇ１，Ｇ２，Ｇ３，Ｇ４，Ｑ１，Ｑ２，Ｑ３，Ｑ４，Ｑ５，Ｑ６，Ｑ７，Ｑ８に対応する第２タイプ基準信号のポート番号がそれぞれ＃Ｎ０，♯Ｎ１，♯Ｎ２，♯Ｎ３，・・・♯Ｎ１２であると仮定すると、長さ８のＯＣＣなどのシーケンスが存在しない場合、対応するポートも存在しない。
【０２７７】
したがって、第１タイプ基準信号のパターンと直交コードは、第２タイプ基準信号のパターンと直交コードの長さを決定する。すなわち、第１タイプ基準信号のパターンとポート番号は、第２タイプ基準信号のパターン候補とポート番号を決定する。図９に示すように、周波数ドメインにおける第１タイプ基準信号のパターンが図９「ａ」である場合、すなわち周波数ドメイン密度が高い場合、および長さ４の直交コードを４つの連続サブキャリア上で用いて最大４ポートを多重化する場合、周波数ドメインにおける第２タイプ基準信号のパターン候補は図９「ａ」「ｂ」「ｃ」であり、図９「ａ」に対応する直交コードの長さは４であり、ポート番号候補は＃Ｎ３，＃Ｎ４，＃Ｎ５，＃Ｎ６を含む。図９「ｂ」に対応する直交コードの長さが２である場合、ポート番号候補は＃Ｎ１，＃Ｎ２を含む。図９「ｃ」に対応する直交コードの長さが１である場合、すなわち周波数ドメインにおいて直交多重化を実施しない場合、ポート番号候補はポート＃Ｎ０に対応する。
【０２７８】
第１タイプ基準信号の直交コードのパターンは、第２タイプ基準信号のパターン候補と直交コードの長さを決定するので、第１通信ノードがシグナリングによって、第２タイプ基準信号が用いる直交シーケンスの長さを第２通信ノードに対して通知する場合、第２通信ノードは第２タイプ基準信号のパターンと直交シーケンスを決定することができる。例えば１つのポートが第１タイプ基準信号に対して割り当てられ、ポート番号は＃Ｍ３となる。すなわち直交シーケンスの長さは４であり直交シーケンスはＧ１である。さらにベースステーションがユーザに対して、第２タイプ基準信号の長さも４であることを通知する場合、第２タイプ基準信号の直交コードシーケンスもデフォルトでＧ１であり、使用するポートは＃Ｎ３である。２つのタイプの基準信号が同じ事前コード方式を用いる場合、＃Ｎ３は＃Ｍ３とみなすことができる。
【０２７９】
＜実施例３＞
第１タイプ基準信号の特性が基準信号のポート個数を含む場合、第１タイプ基準信号のポート個数は第２タイプ基準信号のポート個数を決定する。
【０２８０】
第１タイプ基準信号のポート個数は、第２タイプ基準信号のポート個数を決定する。すなわち、第１タイプ基準信号のポート個数は、第２タイプ基準信号のポート個数の整数倍である。例えば第１タイプ基準信号のポート個数が８である場合、第２タイプ基準信号のポート個数候補は８、４、２、１である。例えば第１タイプ基準信号のポート個数が４である場合、第２タイプ基準信号のポート個数候補は４、２、１である。
【０２８１】
第１通信ノードは第２通信ノードに対して、シグナリングにより、第２タイプ基準信号の最大ポート個数を通知する。
【０２８２】
ベースステーションは、高レイヤシグナリングを介して第２タイプ基準信号の最大ポート個数によってユーザを準静的に構成することができる。ベースステーションは、第１タイプ基準信号のポート個数を示すシグナリングによって、および第２タイプ基準信号の最大ポート個数によって、第２タイプ基準信号の実際のポート個数を提示することができる。これは高レイヤシグナリングによって構成することができる。例えば高レイヤシグナリングを介してベースステーションがユーザに対して構成した第２タイプ基準信号の最大ポート個数がＬ２である場合、第１タイプ基準信号のポート個数Ｌ１（ベースステーションはこれを動的ＤＣＩシグナリングによってユーザに対して通知する）がＬ２以上であれば、第２タイプ基準信号のポート個数はＬ２である。第１タイプ基準信号のポート個数Ｌ１はＬ２グループに分割され、各グループは第２タイプ基準信号の１つのポートに対応する。ベースステーションがＤＣＩシグナリングを介してユーザに対して構成した第１タイプ基準信号の個数がＬ１＜Ｌ２を満たす場合、第２タイプ基準信号のポート個数はＬ１である。例えばベースステーションが高レイヤシグナリングを介してユーザに対して構成した第２タイプ基準信号の最大ポート個数が２である場合、ベースステーションが動的シグナリングを介してユーザに対して構成する第１タイプ基準信号のポート個数は４であり、第２タイプ基準信号の実際のポート個数は２である。動的シグナリングを介してベースステーションがユーザに対して構成した第１タイプ基準信号のポート個数が１である場合、第２タイプ基準信号の実際のポート個数は１である。
【０２８３】
第２タイプ基準信号の実際のポート個数は、高レイヤと第１タイプ基準信号のポート個数によって構成した最大ポート個数の最小値である。第１タイプ基準信号のポート個数Ｌ１が第２タイプ基準信号のポート個数Ｌ２よりも大きい場合、Ｌ１ポートはＬ２グループに分割され、各グループ内のポート個数は等しくない場合がある。各グループにおいて、第１タイプ基準信号のポートは第２タイプ基準信号の同じポートに対応する。
【０２８４】
本開示において、ベースステーションは別のシグナリングを用いて、第２タイプ基準信号の最大ポート個数を通知することもできる。
【０２８５】
＜実施例４＞
第１タイプ基準信号のパターン、ポート個数、ポート番号、直交コードの長さ、直交コードシーケンスは、第２タイプ基準信号のポート個数、直交コードシーケンス、パターン、ポート番号を完全にまたは一部決定するとともに、第１タイプ基準信号と第２タイプ基準信号との間の対応関係を完全にまたは一部決定する。
【０２８６】
第１タイプ基準信号の上記パラメータが第２タイプ基準信号の上記パラメータを一部決定する場合、第２タイプ基準信号のパターン、ポート個数、ポート番号、直交コードの長さ、直交コードシーケンス、および第１タイプ基準信号のポートとの対応関係は、第１タイプ基準信号のパターン、ポート個数、ポート番号、直交コードシーケンスの情報、などを通知するベースステーションによって完全に決定することができる。
【０２８７】
例えばベースステーションがシグナリングを用いて、第１タイプ基準信号のパターンＡ１、ポート個数Ｌ１、直交シーケンスの長さＬＯ１、および直交シーケンスインデックスＯ１をユーザに対して通知した後、第２タイプ基準信号の最大ポート個数Ｌ２と組み合わせて、ベースステーションがユーザに対して、第２タイプ基準信号のパターンＡ２、ポート個数Ｌ２、直交シーケンスＯ２、および直交シーケンスの対応する長さを構成したことを、ユーザはその情報に基づき決定することができる。例えば第１タイプ基準信号のパターンが図９「ａ」でありＬ１＝４である場合、第２タイプ基準信号のパターンは図９「ａ」「ｂ」「ｃ」であり、第２タイプ基準信号の最大ポート個数は２であり、ユーザに対して実際に構成される第２タイプ基準信号の実際の個数は２である。図９の「ｂ」において、周波数ドメインには２つのサブキャリアのみが存在するので、２つのポートの直交シーケンスは［１  １］［１  −１］である。第１タイプ基準信号のポート個数Ｌ１はＬ２グループに分割され、各グループは第２タイプ基準信号の１つのポートに対応する。
【０２８８】
換言すると、第１タイプ基準信号のパターン、ポート個数、ポート番号、直交コードの長さ、直交コードシーケンスは、第２タイプ基準信号のポート個数、直交コードシーケンス、パターン、ポート番号と対応関係を有する。ベースステーションは、２つの独立したシグナリングセットを用いて、第１タイプ基準信号のパラメータと第２タイプ基準信号のパラメータを通知する必要はない。
【０２８９】
すなわち、ベースステーションは組み合わせシグナリングを用いて、第１タイプ基準信号と第２タイプ基準信号のポート個数、ポート番号、直交コードインデックス、またはパターン、および２タイプの基準信号間の対応関係を通知することができる。換言するとベースステーションは、シグナリングを用いて、第１タイプ基準信号の情報と第２タイプ基準信号の情報をともに示すことができる。
【０２９０】
図１１は、本開示の実施例４に基づく第１タイプ基準信号のパターンと第２タイプ基準信号のパターンの概略図である。図１１に示すように、第１タイプ基準信号の４つのパターンが存在し、図１１「ａ」は最大４ポートをサポートすることができる。周波数ドメインにおいて、４つの連続ＲＥ上の直交コードによって、４ポートが多重化される。図１１「ｂ」は最大２ポートをサポートすることができ、周波数ドメインにおいて、２つの連続ＲＥ上の直交コードによって２ポートが多重化される。図１１「ｃ」は最大８ポートをサポートすることができ、周波数ドメインにおいて４つの連続ＲＥ上の直交コードにより４ポートが多重化される。基準信号が２列存在するので、時分割または符号分割により、２つの直交ポートを時間ドメインにおいて多重化することができる。
【０２９１】
図１１「ｄ」は最大４つの直交ポートをサポートすることができ、２つの直交ポートは周波数ドメインにおいて多重化され、基準信号の２つのカラムが存在するので、時間ドメインにおいて時間分割または符号分割により、２つの直交ポートを多重化することができる。
【０２９２】
図１１「ｃ」「ｄ」において、４ポートをサポートすることができる。すなわち、時間ドメインにおいてＯＣＣ多重化を実施しない。ＯＣＣを用いることにより周波数ドメインにおいて２つの連続ポートを直交化するように選択することができ、また時間ドメインにおいても直交化するように選択することができる。これも４ポートをサポートする。換言すると、最大８ポートをサポートするパターンは、１、２、４ポートもサポートする。
【０２９３】
第１タイプ基準信号のパターン「ａ」「ｃ」については、第２タイプ基準信号のパターン候補は図１１「ｅ」「ｆ」「ｇ」である。第１タイプ基準信号のパターン「ｂ」「ｄ」については、第２タイプ基準信号のパターンは「ｆ」「ｇ」である。
【０２９４】
第１タイプ基準信号と第２タイプ基準信号のパターン、ポート個数、直交シーケンス、などを組み合わせて通知することにより、シグナリングオーバーヘッドを抑制できる。高レイヤシグナリングは、第２タイプ基準信号の最大ポートが４であることを通知する。表４は第１タイプ基準信号が８ポートと４ポートの基準信号を用いるケースをリストしている。第１タイプ基準信号の情報は４つのインデックス（２ビット）によって通知され、一方で第２タイプ基準信号の情報も通知される。
【表４】
0006853888.tif 000005
【０２９５】
＜実施例５＞
第１タイプ基準信号のパラメータと第２タイプ基準信号のパラメータが、信号によって用いられるシーケンス生成方法を含む場合、第１タイプ基準信号のシーケンス生成方法は第２タイプ基準信号のシーケンス生成方法を決定する。第１タイプ基準信号のシーケンス生成方法がＬＴＥダウンリンクＤＭＲＳと同じである場合、すなわちＰＮシーケンスのうちいくつかが全帯域幅上で生成される場合、ユーザは割り当てられた時間−周波数ドメインリソース位置にしたがって、第１タイプ基準信号のシーケンスを知ることができる。例えば図１２は、本開示の実施例５に基づく周波数ドメインにおける第１タイプ基準信号と第２タイプ基準信号の位置の概略図である。図１２に示すように、システム帯域幅上にＮ個のサブバンドを有しており、第１基準信号の長さは少なくともシステム帯域幅と同じである。すなわち、各サブバンドにおいて生成された対応するシーケンスが存在する。いずれかのリソース（例えば第１サブバンド）がユーザに対してスケジュールされたとき、第１タイプ基準信号のシーケンスは第１サブバンドに対応するシーケンスであり、これは全システム帯域幅のシーケンス長から取られる。第１タイプ基準信号のシーケンスが決定されると、これにしたがって第２タイプ基準信号のシーケンスが決定され、これは例えば対応する周波数ドメイン位置における第１タイプ基準信号のシーケンスである。
【０２９６】
第１タイプ基準信号がＺＣシーケンスであり、各サブバンドについて完全ＺＣシーケンスである場合、第２タイプ基準信号もＺＣシーケンスであり、これは対応する周波数ドメインＲＥ位置における第１タイプ基準信号のシーケンスのコピーである。したがって、第２タイプ基準信号が占有する周波数ドメインＲＥは、第１タイプ基準信号が占有する周波数ドメインＲＥのサブセットである必要がある。すなわち、第１タイプ基準信号が周波数ドメインＲＥ上で送信されない場合、これら周波数ドメインＲＥは第２タイプ基準信号を送信しない。周波数ドメインＲＥはサブキャリアを表す。
【０２９７】
第１タイプ基準信号と第２タイプ基準信号の特性がシーケンスタイプを含む場合、第１タイプ基準信号のタイプは第２タイプ基準信号のタイプを決定する。同様に例えば第１タイプ基準信号がＺＣシーケンスである場合、第２タイプ基準信号もＺＣシーケンスであり、第１タイプ基準信号がＰＮシーケンスである場合、第２タイプ基準信号もＰＮシーケンスである。
【０２９８】
第１タイプ基準信号と第２タイプ基準信号の特性が生成した波形を含む場合、第１タイプ基準信号の波形は第２タイプ基準信号の波形を決定する。例えば第１タイプ基準信号がＯＦＤＭを用いる場合、第２タイプ基準信号もＯＦＤＭを用いる。第１タイプ基準信号が単一キャリアＯＦＤＭＡを用いる場合（すなわちＤＦＴ−Ｓ−ＯＦＤＭＡ）、第２タイプ基準信号も同じ波形を用いる。
【０２９９】
第１タイプ基準信号と第２タイプ基準信号の特性が使用送信モードを含む場合、第１タイプ基準信号が用いる送信モードは第２タイプ基準信号が用いる送信モードを決定する。例えばこれらが全てシングルポートである場合、第１タイプ基準信号と第２タイプ基準信号は同じ方法でプリコードされる。すなわち同じポートを用いる。別例として、第１タイプ基準信号は２つのポートＭ１１とＭ１２であり第２タイプ基準信号は１つのポートＮ２のみである場合、第２タイプ基準信号のプリコードモードと第１タイプ基準信号の第１ポートのプリコードモードは同じである。あるいはＮ２とＭ１１は同じポートである。
【０３００】
基準信号を送信する送信モードは、複数アクセスモードを表す場合がある。例えば第１タイプ基準信号が時分割される場合、第２タイプ基準信号も時分割されることが決定される。図１３は、本開示の実施例に基づく、第１タイプ基準信号と第２タイプ基準信号のグループ間における時分割多重化の概略図である。図１３に示すように、第１タイプ基準信号の複数ポートは時分割によって２つのポートグループに分割され、第１ポートグループは第１時間ドメインシンボル上に配置され、第２ポートグループは第２時間ドメインシンボル上に配置され、これらはＴＤＭ方式である。第２タイプ基準信号が２つのポートグループを有する場合、第２タイプ基準信号の第１ポートグループは第１タイプ基準信号の第１ポートグループに対応し、第２タイプ基準信号の第２ポートグループは第１タイプ基準信号の第２ポートグループに対応する。したがって、第１タイプ基準信号のポートグループ間における時分割方法は、第２タイプ基準信号の時分割方法を決定する。
【０３０１】
第１タイプ基準信号と第２タイプ基準信号の特性が、シーケンスを生成する際に用いるパラメータを含む場合、第１タイプ基準信号が用いるパラメータは第２タイプ基準信号が用いるパラメータを決定する。例えば第１タイプ基準信号と第２タイプ基準信号が用いるスクランブルシーケンスは同じである。すなわち、ＲＮＴＩは同じであり、および／またはｎＳＣＩＤは同じであり、あるいは疑似ランダムシーケンスは同じである。別例として、第１タイプ基準信号を通知する直交シーケンスインデックスは同じであり、第１タイプ基準信号と第２タイプ基準信号のシーケンスは、別のシグナリングなしで同じ直交シーケンスインデックスによって決定できる。別のシグナリング（例えばＲＲＣシグナリング、ＭＡＣシグナリングなど）は、第１タイプ基準信号と第２タイプ基準信号が用いるパラメータを同時に示すことができる。すなわち、第１タイプ基準信号と第２タイプ基準信号が用いるパラメータは、個別通知することなく共有できる。
【０３０２】
第２タイプ基準信号のポート個数が第１タイプ基準信号のポート個数より小さい場合、第２タイプ基準信号のポートは、第２タイプ基準信号を送信する際に第１タイプ基準信号のＮポートについての送信モードを用いる。Ｎは１よりも大きい整数である。
【０３０３】
送信モードはプリコードモードのことである。図９「ｃ」に示すように、４つ（Ｎ＝４）のポートを第１タイプ基準信号のために用い、第２タイプ基準信号のために１つのポートを用いる場合、第２タイプ基準信号を送信する際に用いるプリコードモードは、第１タイプ基準信号のＮポートのためのものの和である。例えば第１タイプ基準信号の４つのポートがＭ１、Ｍ２、Ｍ３、Ｍ４であり、第２タイプ基準信号を送信する際に用いる実際のポートは、ポートＭ１、Ｍ２、Ｍ３、Ｍ４が送信するデータの総和を送信する。
【０３０４】
＜実施例６＞
第１タイプ基準信号の送信リソースは、第２タイプ基準信号の送信リソースを決定する。
【０３０５】
送信リソースは以下のうち少なくとも１つを含む：送信帯域幅；送信位置；時間ドメイン密度；周波数ドメイン密度。
【０３０６】
図１３に示すように、第１タイプ基準信号の送信リソースが時間ドメイン位置を含む場合、第１タイプ基準信号の時間ドメイン位置は、第２タイプ基準信号の時間ドメイン位置を決定する。図１３に示すように、第１タイプ基準信号の複数ポートは時分割によって２つのポートグループに分割され、第１ポートグループは第１時間ドメインシンボル上に配置され、第２ポートグループは第２時間ドメインシンボル上に配置され、これらはＴＤＭ方式である。第２タイプ基準信号も２つのポートグループを有する場合、第２タイプ基準信号の第１ポートグループは第１タイプ基準信号の第１ポートグループに対応し、第２タイプ基準信号の第２ポートグループは第１タイプ基準信号の第２ポートグループに対応する。したがって、第１タイプ基準信号のポートグループ間における時分割方法は、第２タイプ基準信号の時分割方法を決定する。第２タイプ基準信号の第１ポートグループと第１タイプ基準信号の第１ポートグループとの間の時間ドメイン間隔は、第２タイプ基準信号の第２ポートグループと第１タイプ基準信号の第２ポートグループとの間の時間ドメイン間隔と等しい。換言すると、第１タイプ基準信号のポートグループ１の時間ドメイン位置は、第１タイプ基準信号のポートグループ２の位置よりも早いので、第２タイプ基準信号のポートグループ１の第１時間ドメインシンボルが第２タイプ基準信号のポートグループ２の第１時間ドメインシンボルよりも早いことを決定する。
【０３０７】
第１タイプ基準信号の送信リソースは、第２タイプ基準信号の送信リソースを決定する。第１通信ノードは、規定態様によりまたはシグナリング構成態様により、第２タイプ基準信号の位置候補を、第２通信ノードに対して通知する。
【０３０８】
送信リソースは主に、送信帯域幅と送信リソース位置のことである。すなわち、ベースステーションが第１タイプ基準信号に対して割り当てた（ＬＴＥにおいて第１タイプ基準信号の周波数ドメインリソースがデータ割当の周波数ドメインリソースと同じであるのと同様）周波数ドメインリソースのインデックスは、１以上のサブバンドまたは１以上のＰＲＢを示すことができる。ベースステーションは、サブバンドシーケンス番号またはＰＲＢ番号を通知することができる。
【０３０９】
第２タイプ基準信号の位置候補は、事前設定またはシグナリングによって構成されるものであり、規定態様によりまたは高レイヤシグナリングによりまたは高レイヤシグナリングとＭＡＣレイヤＣＥを組み合わせて用いることにより、全送信帯域幅またはユーザがサポートできる送信帯域幅がサブバンドに分割されることをベースステーションがユーザに対して通知し、各サブバンドについて、各サブバンドの１つまたはＭ個のリソースブロックを用いて第２タイプ基準信号を送信することを、規定態様または高レイヤシグナリングまたは高レイヤシグナリングとＭＡＣレイヤＣＥの組み合わせがユーザに対して通知することを、意味する。換言すると各サブバンドにおいて、第２タイプ基準信号を送信するために用いることができるＰＲＢ候補が１つ存在し、サブバンドのその他ＰＲＢは第２タイプ基準信号を送信するために用いない。このように、マルチユーザスケジューリングにおいても、異なるユーザの第２タイプ基準信号は各サブバンドの特定のＰＲＢに集約される。
【０３１０】
ベースステーションが用いる動的シグナリングが、ＤＣＩにおいて第１タイプ基準信号が占有するサブバンド個数とサブバンド番号をユーザに対して通知する場合、第１タイプ基準信号が占有するサブバンド個数と番号を構成するシグナリングと第２タイプ基準信号の位置候補にしたがって、第２タイプ基準信号の送信帯域幅と送信リソース位置を、ユーザは取得することができる。一般に、サブバンドの分割と、サブバンドにおけるどのＰＲＢを用いて第２タイプ基準信号を送信するかは、セルレベル情報である。各ユーザが異なる分割方法を有するケースを排除するものではない。
【０３１１】
図１２に示すように、全送信帯域幅はＮ個のサブバンドに分割され、各サブバンドは複数のＰＲＢを含む（例えば３つのＰＲＢ）。各サブバンドにおける１つのＰＲＢのみが第２タイプ基準信号を含む。割り当てたデータ送信リソースがサブバンド＃０と＃１であることをシグナリングによりベースステーションがユーザに対して通知する場合、対応する第１タイプ基準信号（データ復調基準信号）はサブバンド＃０と＃１上で送信される。ベースステーションはこのシグナリングにより、第２タイプ基準信号がサブバンド＃０と＃１上かつ各サブバンドの第１ＰＲＢ上で送信されることを知っている。サブバンドはセルレベルで分割することができる。すなわち、全ユーザについて分割態様は同じであり、あるいはシステム帯域幅および／またはサブキャリア間隔に関連する。例えばシステム帯域幅１０Ｍのセルについて、６つのＰＲＢごとに１つのサブバンドを形成する。システム帯域幅２０Ｍについては、１２ＰＲＢごとに１つのサブバンドを形成する。したがって第２タイプ基準信号を送信する位置は、全ユーザについて同じである。
【０３１２】
周波数ドメインにおける密度構成は、ユーザごとに異なる場合がある。例えば全送信帯域幅がＮ個のサブバンドに分割され、各サブバンドは複数のＰＲＢを有する（例えば３つのＰＲＢ）。第２タイプ基準信号を含むＰＲＢは各サブバンドにおいて１つのみ存在する。ベースステーションは、２つのサブバンドごとに第２タイプ基準信号を送信するＰＲＢが１つのみ存在するように、高レイヤシグナリングによってユーザＵ０を構成することができる。一方でユーザＵ１について、第２タイプ基準信号を送信するＰＲＢがサブバンドごとに１つ存在する。換言すると、サブバンドの長さはユーザごとに異なる。例えば図１２に示すように、ベースステーションは同じサブバンド＃０と＃１のデータ送信リソースによってユーザＵ０とＵ１を構成し、Ｕ０は第１サブバンドの第１ＰＲＢ上においてのみ送受信し、Ｕ１はサブバンド＃０と＃１双方の第１ＰＲＢ上で第２タイプ基準信号を送受信する。
【０３１３】
本実施形態における第２タイプ基準信号は、ゼロパワーの第２タイプ基準信号を含む。例えば図１２に示すように、２人のユーザＵ０とＵ１がサブバンド＃０上でマルチユーザスケジューリングを実施する場合、Ｕ０に対して割り当てられるサブバンド番号は＃０と＃１であり、ゼロパワーではない第２タイプ基準信号は位相ノイズを推定する必要がある。Ｕ１はサブバンド＃０が割り当てられ、ゼロパワーではない第２タイプ基準信号は位相ノイズを推定する必要はない。ただし第２タイプ基準信号に対応するＲＥ上でＵ１がデータ送信する場合（このＲＥはサブバンド＃０上の第１ＰＲＢにある）、Ｕ０のサブバンド＃０上の第２タイプ基準信号と干渉を生じ、Ｕ０が推定する位相ノイズの推定精度が減少する。したがって、サブバンド＃０においてゼロパワーの第２タイプ基準信号をＵ１に対して割り当てるほうがよい。第２タイプ基準信号がゼロパワーを有するか否かは、別のシグナリングによってユーザに対して通知する必要がある。
【０３１４】
別例として、送信リソースが基準信号の時間ドメイン密度および／または周波数ドメイン密度を示している場合、ユーザは第１タイプ基準信号の密度を知ることにより第２タイプ基準信号の密度を学習することができる。図１４は、本開示の実施例６に基づく第１タイプ基準信号と第２タイプ基準信号との間の関係を示す概略図である。図１４に示すように、ユーザは第１タイプ基準信号の周波数ドメイン密度についての情報を用いて、第２タイプ基準信号の周波数ドメイン密度についての何らかの情報を計算することができる。例えば図１４「ａ」に示すように、第１タイプ基準信号がＰＲＢ全体の全サブキャリア上で送信される場合、ユーザの第２タイプ基準信号は１つのＰＲＢにおいて最大４サブキャリアを占有する。さらにベースステーションは、動的シグナリングを用いて、４サブキャリアを占有するか２サブキャリアを占有するかをユーザに対して通知することができ、あるいは第２タイプ基準信号は常に４サブキャリアを占有する。第１タイプ基準信号の送信が図１４「ｂ」である場合、ユーザの第２タイプ基準信号は１つのＰＲＢにおいて最大２サブキャリアを占有する。さらにベースステーションは、動的シグナリングを用いて、２サブキャリアを占有するか１サブキャリアを占有するかをユーザに対して通知することができ、あるいは第２タイプ基準信号は常に２サブキャリアを占有する。
【０３１５】
＜実施例７＞
第２タイプ基準信号のポートは複数のポートグループに分割され、ポートグループは時間分割によって区別される。
【０３１６】
例えば第２タイプ基準信号は２つのグループに分割され、第２タイプ基準信号がマッピングされる時間ドメインシンボルも２つのグループに分割される。第２タイプ基準信号の異なるグループは、異なる時間ドメインシンボルグループにマッピングされる。図１５は、本開示の実施例７に基づき２つのグループに分割される第２タイプ基準信号の概略図である。図１５に示すように、第２タイプ基準信号は２つのポートグループに分割され、異なるポートグループは時間ドメインシンボルに対して時分割でマッピングされる。例えば第１タイプ基準信号は４ポートを有し、これに対応する第２タイプ基準信号も４ポートを有する。すなわち＃０、＃１、＃２、＃３である。ポート＃０と＃１は第１ポートグループを形成し、ポート＃２と＃３は第２ポートグループを形成し、これらポートグループは異なる時間ドメインシンボルグループへ時分割でマッピングされる。
【０３１７】
図１３に示すように、第１タイプ基準信号の送信リソースは時間ドメイン位置を有し、第１タイプ基準信号の時間ドメイン位置は第２タイプ基準信号の時間ドメイン位置を決定する。図１３に示すように、第１タイプ基準信号の複数ポートは時分割によって２つのグループに分割され、第１ポートグループは第１時間ドメインシンボル上に配置され、第２ポートグループは第２時間ドメインシンボル上に配置され、これらは時分割多重される（ＴＤＭされる）。第２タイプ基準信号も２つのグループを有し、第２タイプ基準信号の第１ポートグループは第１タイプ基準信号の第１ポートグループに対応し、第２タイプ基準信号の第２ポートグループは第１タイプ基準信号の第２ポートグループに対応する。したがって第１タイプ基準信号のポート間の時分割態様は、第２タイプ基準信号の時分割態様を決定する。第２タイプ基準信号の第１ポートグループと第１タイプ基準信号の第１ポートグループとの間の時分割間隔、および第２タイプ基準信号の第２ポートグループと第１タイプ基準信号の第２ポートグループとの間の時分割間隔は、等しい。換言すると、第１タイプ基準信号のポートグループ１の時間ドメイン位置は第１タイプ基準信号のポートグループ２よりも早いので、第２タイプ基準信号のポートグループ１の第１時間ドメインシンボルが第２タイプ基準信号のポートグループ２の第１時間ドメインシンボルよりも早いことを決定する。第２タイプ基準信号の異なるポートグループも時分割を用いる。
【０３１８】
＜実施例８＞
第２タイプ基準信号の異なるポートが用いる送信リソースは、完全に異なるかまたは一部異なる。
【０３１９】
送信リソースは以下のうち少なくとも１つを含む：送信帯域幅；送信位置；時間ドメイン密度；周波数ドメイン密度。
【０３２０】
すなわち、異なるポートまたは異なるポートグループの送信帯域幅は異なる。ポートのなかには周波数ドメインにおいて長い帯域幅を有するリソースを占有するものがあり、周波数ドメインにおいて短い帯域幅を有するリソースを占有するものもある。異なるポートの時間ドメイン密度および／または周波数ドメイン密度は、異なる場合がある。また占有される時間−周波数ドメイン位置も異なる場合がある。
【０３２１】
図１６は、本開示の実施例８にしたがってそれぞれ２つのサブキャリア上にマッピングされている第２タイプ基準信号の２つのポートの概略図である。図１６に示すように、第２タイプ基準信号は２つのポートを有する。１つのＰＲＢについて、２つのポートのマッピング位置は異なる。図１６に示す第２タイプ基準信号の２つのポートはそれぞれ２つのサブキャリア上にマッピングされ、時間ドメインはインターリーブ状に分離されている。
【０３２２】
図１７は、本開示の実施例８に基づく第２タイプ基準信号の異なるポートの異なる送信帯域幅を示す概略図である。図１７に示すように、ベースステーションは１６個の連続ＰＲＢ（４サブバンド）上で第１タイプ基準信号を送信する。第２タイプ基準信号は２つのポートを有する。ベースステーションは４ＰＢＲ（１サブバンド）ごとに１回、ポート１を送信する。ベースステーションは第１サブバンド上でのみポート２を送信し、ポート２の送信帯域幅は２サブバンドのみであるとみなすことができる。したがって、第２タイプ基準信号の異なるポートの送信帯域幅は異なる。この場合、第２タイプ基準信号の２つのポートの密度は異なるとみなすことができる。
【０３２３】
別例としてベースステーションは、１６個の連続ＰＲＢ（４サブバンド）上で第１タイプ基準信号を送信する。第２タイプ基準信号は２ポートを有し、ベースステーションは４ＰＢＲ（１サブバンド）ごとに１回、ポート１を送信する。ベースステーションは、８ＰＢＲごとに１回、ポート２を送信し、ポート１の密度はポート２の密度の２倍である。
【０３２４】
＜実施例９＞
第１タイプ基準信号の直交シーケンスは、第２タイプ基準信号の直交シーケンスを決定する。
【０３２５】
２つのタイプの基準信号のシーケンスタイプが同じである場合（例えばともにＯＣＣシーケンス）、第１タイプ基準信号と第２タイプ基準信号の直交シーケンスの長さは、同じ場合と異なる場合がある。すなわち、第２タイプ基準信号の直交シーケンスは、第１タイプ基準信号の直交シーケンスによって知ることができる。換言すると、第１タイプ基準信号と第２タイプ基準信号は同じ直交シーケンスインデックスを共有する。
【０３２６】
図１８は、本開示の実施例９に基づき、第２タイプ基準信号と第１タイプ基準信号が用いる直交シーケンスの長さが同じであるケースを示す概略図である。図１８に示すように、第２タイプ基準信号が用いる直交シーケンスの長さと第１タイプ基準信号が用いる直交シーケンスの長さが等しい場合（例えばＯＣＣ長８のシーケンス）、第２タイプ基準信号と第１タイプ基準信号が用いるＯＣＣシーケンスは同じである。この例において、第１タイプ基準信号のポート個数は第２タイプ基準信号のポート個数と等しい。すなわちレイヤ個数は等しい。表５はユーザが１レイヤを用いるケースと２レイヤを用いるケースの例を示す。２つのタイプの基準信号は同じシーケンスを用い、ポート個数も等しい。
【表５】
0006853888.tif 000006
【０３２７】
図１９は、本開示の実施例９に基づき、第２タイプ基準信号と第１タイプ基準信号が用いるシーケンス長が異なるケースを示す概略図である。図１９に示すように、第２タイプ基準信号が用いる直交シーケンス長は、第１タイプ基準信号が用いる直交シーケンス長と等しくない。第１タイプ基準信号の周波数ドメイン密度は一般に第２タイプ基準信号の周波数ドメイン密度よりも大きいので、第２タイプ基準信号の直交コード長は第１タイプ基準信号の直交コード長の半分、１／４、または１／８である。ベースステーションがユーザに対して第２タイプ基準信号の直交コード長を通知した後、ユーザは第１タイプ基準信号の直交コードインデックスと第２タイプ基準信号の直交コード長にしたがって、第２タイプ基準信号の直交コードシーケンスを計算することができる。
【０３２８】
例えばユーザＵ０の第１タイプ基準信号のＯＣＣ長は８、レイヤ数１、ＯＣＣインデックス１、対応するシーケンスは長さ８のシーケンスＱ１である；ベースステーションは、疑似静的シグナリングまたは動的シグナリングを用いて、第２タイプ基準信号のＯＣＣ長が４であることをＵ０に対して通知する。Ｕ０は、第１基準信号のＯＣＣインデックス１と第２タイプ基準信号のＯＣＣ長４にしたがって、第２タイプ基準信号が用いるシーケンスを知ることができる。例えば第２タイプ基準信号が用いるシーケンスは、サブシーケンスＱ１である。
【０３２９】
シーケンスのサブシーケンスは、例えばシーケンス値の前半に対応するシーケンスであり、あるいはシーケンス値の後半に対応するシーケンスである。例えば表６に示すシーケンスＱ４のサブシーケンスは、［１  １  −１  −１］または［−１  −１  １  １］である。
【表６】
0006853888.tif 000007
【０３３０】
第２タイプ基準信号の直交シーケンスは、第１タイプ基準信号の直交シーケンスのサブシーケンスである。第２タイプ基準信号の直交シーケンス長は、第１タイプ基準信号の直交シーケンス長よりも短い。
【０３３１】
表７、１、２、３に示すように、ベースステーションは、第１タイプ基準信号と第２タイプ基準信号との間で共通のＯＣＣインデックスのみを通知する必要があり、２つの基準信号タイプの直交コード長が異なる場合であっても、ユーザはその共通ＯＣＣインデックスにしたがって、第１タイプ基準信号のシーケンス値と第２タイプ基準信号のシーケンス値を知ることができる。
【０３３２】
すなわち、第１タイプ基準信号の直交シーケンスインデックスは、第２タイプ基準信号の直交シーケンスを決定し、あるいは換言すると、ベースステーションは第１タイプ基準信号のシーケンスと第２タイプ基準信号のシーケンスを結合的に通知する。この例において、第２タイプ基準信号の直交シーケンス長が第１タイプ基準信号の直交シーケンス長よりも短い場合、第２タイプ基準信号の直交シーケンスは第１タイプ基準信号の直交シーケンスのサブシーケンスである。表７に示すように、第１タイプ基準信号の直交シーケンスがＱ１であり、単一ポートを用い、第２タイプ基準信号のシーケンス長が４であることをベースステーションが通知する場合、ユーザは第２タイプ基準信号の直交シーケンスがＧ１であることを知ることができる。Ｇ１はＱ１のサブシーケンスだからである。第２タイプ基準信号のシーケンス長が２である場合、Ｐ１は第２タイプ基準信号の直交シーケンスである。Ｐ１はＱ１のサブシーケンスだからである。
【表７】
0006853888.tif 000008
【０３３３】
第１タイプ基準信号の複数ポートが第２タイプ基準信号の１つのポートに対応する場合、第２タイプ基準信号のこのポートが用いる直交シーケンスは、第１タイプ基準信号の複数ポートのある１つに対応するシーケンスのサブシーケンスである。第１タイプ基準信号の２つのポートに対して割り当てられたシーケンスがＱ１とＱ５である場合、第２タイプ基準信号のポートが用いるシーケンスはＱ１とＱ５である。
【０３３４】
第１タイプ基準信号の複数ポートに対応するサブシーケンスは同じである。
【０３３５】
第１タイプ基準信号が２レイヤ（２ポートに対応する）を用いる場合（例えばＯＣＣ長が８）、および、第２タイプ基準信号の直交コード長も８であるかまたはポート個数が２であることをベースステーションがユーザに対して通知する場合、第２タイプ基準信号が用いるＯＣＣシーケンスは第１タイプ基準信号と同じであることを、ユーザは知ることができる。表８の第２カラムはこれを示す。第２タイプ基準信号のポート個数が１であるかまたは直交コード長が第１タイプ基準信号のものの半分であることをベースステーションがユーザに対して通知する場合、第２タイプ基準信号の直交コードシーケンス長が４であり、第２タイプ基準信号の１つのポートが第１タイプ基準信号の２つのポートに対応することを、ユーザは知ることができる。すなわち、第２タイプ基準信号の推定結果は、第２タイプ基準信号の２つのポートのために用いることができる。この例において、第２タイプ基準信号が用いる直交コードシーケンスは、第１タイプ基準信号が用いる直交コードシーケンスから知ることができる。
【０３３６】
この場合、第１タイプ基準信号の複数ポートに対応するサブシーケンスは同じである。表８に示すように、第１タイプ基準信号の複数ポートに対して割り当てられたシーケンス候補は、｛Ｑ１  Ｑ２｝、｛Ｑ３  Ｑ４｝、｛Ｑ５  Ｑ６｝、｛Ｑ７  Ｑ８｝であり、各候補における２つのシーケンスのサブシーケンスは同じである。
【０３３７】
例えば表８において、第１タイプ基準信号がＱ１とＱ２によって構成され、Ｑ１とＱ２のサブシーケンスがともにＧ１と等しい場合、第２タイプ基準信号のシーケンス長が４であれば第２タイプ基準信号が用いるシーケンスはＧ１である。ただし第２タイプ基準信号のシーケンス長が２である場合、第２タイプ基準信号が用いるシーケンスはＰ１である。Ｑ１とＱ２の２サブシーケンスはＰ１と等しいからである。
【０３３８】
サブシーケンス長がシーケンスＳの長さの半分である場合、ＳのサブシーケンスはＳの前半または後半に対応するシーケンスとみなすことができる。サブシーケンス長がシーケンスＳの４分の１である場合、ＳのサブシーケンスはＳのサブシーケンスはＳの最初の４分の１に対応するシーケンスとみなすことができる。
【表８】
0006853888.tif 000009
【０３３９】
第１タイプ基準信号の直交シーケンスは第２タイプ基準信号の直交シーケンスを決定し、第１タイプ基準信号と第２タイプ基準信号のシーケンスタイプは必ずしも同じではない。例えば第１タイプ基準信号はＺＣシーケンスを用い、第２タイプ基準信号はＰＮシーケンスを用いる。ＺＣシーケンスにおいて、ベースステーションは異なるサイクリックシフトを利用して、複数の基準信号ポートを直交多重化する。これはＬＴＥにおけるアップリンクＤＭＲＳと同様である。したがってベースステーションは、第１タイプ基準信号のＣＳ（サイクリックシフト）通知を用いて、第２タイプ基準信号のＯＣＣシーケンスを暗黙的に示すことができる。
【０３４０】
上記例において、ベースステーションは、高レイヤシグナリングまたは動的シグナリングを用いることにより、第２タイプ基準信号の直交シーケンス長を通知することができる。すなわち、第１通信ノードは第２通信ノードに対して、第２タイプ基準信号が用いる直交シーケンス長を通知する。第２タイプ基準信号の直交シーケンス長と第１タイプ基準信号の直交シーケンスの組み合わせにより、ユーザは第２タイプ基準信号のシーケンスを知ることができる。
【０３４１】
第１タイプ基準信号の複数ポートは、複数の直交シーケンスと同じスクランブルシーケンスまたは疑似ランダムシーケンスを用い、第２タイプ基準信号の複数直交ポートは、同じ直交シーケンスと異なるスクランブルシーケンスまたは疑似ランダムシーケンスを用いる。
【０３４２】
表８を例として用いる。第１タイプ基準信号が２レイヤ（２ポートに対応する）を用い（例えばＯＣＣ長が８）、第２タイプ基準信号のポート個数も２であり、直交コード長が第１タイプ基準信号のものの半分である場合、ユーザは以下を知ることができる：第２タイプ基準信号の直交コードシーケンス長が４であり、第２タイプ基準信号が用いる直交コードシーケンスは第１タイプ基準信号が用いる直交コードシーケンスであり、第２タイプ基準信号の２つのポートが用いる直交シーケンスは同じであり、スクランブルシーケンスのみが異なる。
【０３４３】
例えば表８において、第１タイプ基準信号がＱ１とＱ２によって構成されている場合、Ｑ１とＱ２の全サブシーケンスはＧ１に等しく、第２タイプ基準信号のシーケンス長が４である場合、第２タイプ基準信号の２つのポートが用いる全シーケンスはＧ１である。この例において、第２タイプ基準信号の２つのポートは直交していない。これは、同じ直交コードシーケンスＧ１を用いることによる。２つのポートの信号を区別するため、２つのポートは異なる疑似ランダムシーケンスを用いることができる。これは例えば異なるｎＳＣＩＤによって区別され、これはダウンリンク復調基準信号ポート７、８が異なるｎＳＣＩＤを用いるＬＴＥと同様のものである。
【０３４４】
＜実施例１０＞
第１タイプ基準信号の直交シーケンスは、第２タイプ基準信号の直交シーケンスを決定する。
【０３４５】
第１通信ノードは第２通信ノードに対して、シグナリングにより、第２タイプ基準信号が用いる直交コードシーケンス長を通知する。
【０３４６】
ベースステーションは、第１タイプ基準信号と第２タイプ基準信号の長さが異なる場合であっても、第１タイプ基準信号のインデックスを示すことにより、第２タイプ基準信号のインデックスを通知する。第２タイプ基準信号について、ベースステーションは直交シーケンス長のみ別途通知すればよい。ユーザは、第１タイプ基準信号のシーケンスと第２タイプ基準信号のシーケンス長の通知を用いて、第２タイプ基準信号が用いるシーケンス、第２タイプ基準信号が用いるポート、ポート個数、および第１タイプ基準信号と第２タイプ基準信号との間の関係を知ることができる。
【０３４７】
図２０は、本開示の実施例１０に基づき、第１タイプ基準信号の直交シーケンス長が４であり、第２タイプ基準信号の直交シーケンス長が４または２であるケースを示す概略図である。図２０に示すように、第１タイプ基準信号の直交シーケンス長が４である場合、直交シーケンスの４つの値が４つのＲＥ上で送信される。図２０「ａ」のように第２タイプ基準信号の直交シーケンスの長さが４であることをベースステーションがユーザに対して通知する場合、第２タイプ基準信号の直交シーケンスは第１タイプ基準信号の直交シーケンスと同じであってもよい。表９は、ユーザの第１タイプ基準信号の送信ポートの個数が２である（例えば表９の第１カラムが示すように、割り当てられた直交シーケンスがＧ１とＧ２である）ケースのリストである。第２タイプ基準信号の直交シーケンス長が４である場合、ユーザは第２タイプ基準信号のポート個数が第１タイプ基準信号のポート個数と同じであり、シーケンスはＧ１  Ｇ２であると推定する。
【表９】
0006853888.tif 000010
【０３４８】
第２タイプ基準信号の直交シーケンス長が４未満であること（例えば図２０「ｂ」に示すように２である）をベースステーションがユーザに対して通知する場合、ユーザは第１タイプ基準信号のシーケンスと第２タイプ基準信号の直交シーケンス長にしたがって、第２タイプ基準信号のシーケンスとポート個数を知ることができる。表９の第３カラムに示すように、第２タイプ基準信号の直交シーケンス長が２である場合、シーケンスがＰ１であること（すなわちＧ１（またはＧ２）に対応するシーケンスの最初の２つのシーケンス値）を知ることができる。さらにユーザは、第２タイプシーケンスのシーケンス長にしたがって、第２タイプ基準信号のポート個数の、第１タイプ基準信号のポート個数に対する比を、知ることができる。
【０３４９】
第１タイプ基準信号と第２タイプ基準信号は、必ずしも同じタイプのシーケンスでなくともよい。例えば第１タイプ基準信号はＺＣシーケンスを用い、第２タイプ基準信号はＰＮシーケンスを用いる。ＬＴＥ技術仕様ＴＳ３６．２１１が示すように、ベースステーションは一般にユーザに対して、シグナリングによって第１タイプ基準信号のサイクリックシフトを通知して、ＺＣシーケンスを生成するとき使用するサイクリックシフトを示すことができる。ユーザは、ベースステーションが通知する第１タイプ基準信号のサイクリックシフト通知にしたがって、第２タイプ基準信号の直交シーケンスを推定することができる。換言すると、第１タイプ基準信号と第２タイプ基準信号が同じタイプの基準信号ではない場合であっても、ベースステーションは２つの基準信号タイプの直交シーケンスを結合的に通知することができる。これは例えば同じインデックスを用いて、第１タイプ基準信号のサイクリックシフトと第２タイプ基準信号のＯＣＣ直交シーケンスを通知することによる。
【０３５０】
＜実施例１１＞
第１通信ノードは、第１タイプ基準信号の時間ドメイン直交シーケンスと第２タイプ基準信号の特定の特性についての情報を結合的に通知する。
【０３５１】
第２タイプ基準信号の特定の特性は、以下のうち１以上を含む：第２タイプ基準信号がゼロパワーまたは非ゼロパワーのいずれか；第２タイプ基準信号を送信するか否か；時間ドメインにおける第２タイプ基準信号の密度。
【０３５２】
第２タイプ基準信号は主に位相シフトとドップラーシフトを補償するために用いるので、位相ノイズの影響があるのであれば、異なる時間ドメインシンボル間において位相差が存在する場合がある。これは、同じサブキャリア上かつ同じ時間スロット内であっても、異なる時間ドメインシンボルにおいて大きなチャネル位相差を生じさせる。したがって、ベースステーションが第２タイプ基準信号を送信しようとするとき、位相ノイズが存在するかまたはドップラーシフトが深刻であることがあり、これにより異なる時間ドメインシンボルにおけるチャネルはあまり類似していないこととなり、時間ドメイン直交シーケンスの適用に影響する。そこでこの例において、ベースステーションは第１タイプ基準信号に対して時間ドメイン直交シーケンスを構成しない。反対に、ベースステーションが第１タイプ基準信号の時間ドメイン直交シーケンスを構成するとき、第２タイプ基準信号を送信しない。すなわち、位相ノイズの影響がないときのみ、第１タイプ基準信号の時間ドメイン直交シーケンスを適用する。まとめると、第１タイプ基準信号の直交シーケンスが適用される場合、第２タイプ基準信号は送信されない。一方で第２タイプ基準信号が送信される場合、第１タイプ基準信号の時間ドメイン直交シーケンスは適用されない。
【０３５３】
したがってベースステーションは、第１タイプ基準信号の時間ドメイン直交長を通知するシグナリングにより、第２タイプ基準信号がゼロパワーと非ゼロパワーのいずれであるのか、第２タイプ基準信号を送信するか否か、または時間ドメインにおける第２タイプ基準信号の密度を暗黙的に通知することができる。
【０３５４】
図２１は、本開示の実施例１１に基づき、第１タイプ基準信号の時間ドメインシンボルの２つのカラム上における直交コード長にしたがって第２タイプ基準信号の特性が示されるケースを示す概略図である。図２１に示すようにベースステーションは、第１タイプ基準信号の時間ドメインシンボルの２つのカラム上における直交コード長をユーザに対して通知するシグナリングによって、第２タイプ基準信号がゼロパワーまたは非ゼロパワーいずれであるのかを通知する。第１タイプ基準信号の２つのカラムの時間ドメイン上の直交コード長が２であることを、ベースステーションがユーザに対して通知する場合、これは基準信号の２つのカラムの時間ドメインチャネルが類似していることを意味しており、第２タイプ基準信号はドップラーシフトと位相ノイズの影響を推定するために送信する必要はない。この場合他のユーザは、第２タイプ基準信号の位置において第２タイプ基準信号を送信することができ、現ユーザは第２タイプ基準信号の位置において何も生じない（データ送信なし）ことを理解できる。これはいわゆるゼロパワーの第２タイプ基準信号である。この例において、ダウンリンクデータを復調するとき、ユーザは第２タイプ基準信号に対応する位置においてデータがないことを知る。アップリンクにおいて、ユーザは対応する位置上でデータを送信しない。
【０３５５】
これに代えてベースステーションは、第１タイプ基準信号の時間ドメインシンボルの２つのカラム上の直交コード長を通知するシグナリングにより、第２タイプ基準信号の密度をユーザに対して通知することができる。第１タイプ基準信号の時間ドメインシンボルの２つのカラム上の直交コード長が相対的に大きいことを、ベースステーションがユーザに対して通知する場合、これは時間ドメインチャネルの変化が比較的緩やかであることを意味しており、第２タイプ基準信号の時間ドメイン密度は低い。一方で、第１タイプ基準信号の時間ドメインシンボルにおける直交コード長が比較的小さい（例えば１（時間ドメインにおいて直交コードを用いない））ことを、ベースステーションが通知する場合、これは時間ドメインチャネルチャネル変化が比較的速いことを示しており、第２タイプ基準信号の密度は高い。
【０３５６】
これに代えてベースステーションは、第１タイプ基準信号の時間ドメインシンボルの２つのカラム上の直交コード長を通知するシグナリングにより、第２タイプ基準信号を送信するか否かをユーザに対して通知することができる。第１タイプ基準信号の時間ドメインの２つのカラム上の直交コード長が比較的大きいことを、ベースステーションがユーザに対して通知する場合、これは時間ドメインチャネルの変化が比較的緩やかであることを意味しており、第２タイプ基準信号は必要なく、第２タイプ基準信号は送信されないかまたはゼロパワーとみなされる。
【０３５７】
すなわち、第１タイプ基準信号の時間ドメイン直交コードをベースステーションが通知するシグナリングは、第２タイプ基準信号の何らかのパラメータ情報を通知するために用いることもできる。あるいは以下を共通シグナリングによって通知することができる：第１タイプ基準信号の時間ドメイン直交コードについての情報、および第２タイプ基準信号を送信するか否か；ゼロパワーか非ゼロパワーか；密度情報。
【０３５８】
＜実施例１２＞
第２通信ノードは第１通信ノードに対して、第１タイプ基準信号と第２タイプ基準信号との間の対応関係についての通知情報を通知する。
【０３５９】
すなわち第１通信ノードは、第２通信ノードからフィードバックされる情報にしたがって、第２タイプ基準信号と第１タイプ基準信号との間の対応関係を決定することができる。
【０３６０】
第２通信ノードは、第２通信ノードの水晶発振器の個数を第１通信ノードに対してフィードバックすることができる。例えば第２通信ノードが水晶発振器を１つのみ有する場合、アップリンクデータ送信について、第１タイプ基準信号の全ポートは第２タイプ基準信号の１つのポートのみに対応する。
【０３６１】
これに代えて第２通信ノードは、第２タイプ基準信号のポート個数を第１通信ノードに対してフィードバックすることができ、したがって第１通信ノードは、第２通信ノードからフィードバックされた情報にしたがって、第２タイプ基準信号のポート個数、および第１タイプ基準信号と第２タイプ基準信号との間の対応関係を、構成することができる。例えば、第２通信ノードが第１通信ノードに対してフィードバックする第２タイプ基準信号のポート個数が２である場合、ベースステーションはシグナリングにより、第２タイプ基準信号のポート個数が１または２であるように第２通信ノードを事前定義または構成することができ、ポート個数を２よりも多く構成する必要はない。シグナリングによって第２通信ノードに事前定義または構成された第２タイプ基準信号のポート個数が２である場合、および第１タイプ基準信号のポート個数が複数である場合、第１タイプ基準信号のポートは規定態様またはシグナリングによって２グループに分割することができる。２つのグループはそれぞれ、第２タイプ基準信号の２つのポートに対応する。一方で第１タイプ基準信号が１ポートのみ有する場合、第２タイプ基準信号のポート個数も第１タイプ基準信号の１ポートに対応して１である。一般に第１タイプ基準信号のポート個数は、第２タイプ基準信号のポート個数以上だからである。
【０３６２】
第２通信ノードは第１通信ノードに対して、ユーザ性能を報告する際に、第２タイプ基準信号の最大ポート個数を通知することができる。
【０３６３】
ベースステーションは、第２タイプ基準信号の最大ポート個数によって、ユーザを疑似静的に構成することができる。第１タイプ基準信号のポート個数にしたがって、ユーザは第２タイプ基準信号の実際のポート個数を知ることができるとともに、第１タイプ基準信号との間の対応関係を知ることができる。例えばベースステーションがユーザに対して構成した第２タイプ基準信号の最大ポート個数が２である場合、第１タイプ基準信号が８ポートを使うことが通知され、８ポートのうち最初の４つは第２タイプ基準信号のポート１に対応するとともに後半４つは第２タイプ基準信号のポート２に対応することを、ユーザは知ることができる。第１タイプ基準信号のポート個数が１である場合、第２タイプ基準信号のポート個数も１であり、これは第１タイプ基準信号のポート個数に対応する。
【０３６４】
表１０に示すように、第１タイプ基準信号と第２タイプ基準信号が規定の対応関係を有する場合、ベースステーションは第１タイプ基準信号と第２タイプ基準信号のポート個数のみを通知する必要があり、ユーザは２つのタイプの基準信号間の対応関係を取得することができる。ユーザはベースステーションに対して、第２タイプ基準信号のポート個数をフィードバックすることができる。
【表１０】
0006853888.tif 000011
【０３６５】
表１０において、第１タイプ基準信号の最大ポート個数は８であると仮定し、この８ポートはそれぞれＭ１、Ｍ２、Ｍ３、Ｍ４、Ｍ５、Ｍ６、Ｍ７、Ｍ８であり、第２タイプ基準信号も最大ポート個数８を有し、それぞれＮ１、Ｎ２、Ｎ３、Ｎ４、Ｎ５、Ｎ６、Ｎ７、Ｎ８である。
【０３６６】
第２通信ノードは、第１タイプ基準信号と第２タイプ基準信号との間のポート対応関係を、第２通信ノードに対してフィードバックすることができる。ユーザはベースステーションに対して、第１タイプ基準信号のＬ１ポートと第２タイプ基準信号のＬ２ポートとの間のマッピング関係をフィードバックする。第１タイプ基準信号と第２タイプ基準信号との間の対応関係が固定されておらずフレキシブルである場合、ユーザは２つの基準信号タイプ間の対応関係をベースステーションに対してフィードバックする必要がある。例えばＬ１＝Ｌ２＝２である場合、ユーザはＭ１がＮ１に対応しＭ２がＮ２に対応するか、それともＭ２がＮ１に対応しＭ１がＮ２に対応するのかを、フィードバックする。
【０３６７】
＜実施例１３＞
第１タイプ基準信号または第２タイプ基準信号のポートの一部は、疑似直交である。
【０３６８】
同じユーザについて、第１タイプ基準信号および／または第２タイプ基準信号のポートは２つのグループに分割することができ、グループ間のポートは疑似直交であり、同じグループ内のポートは直交している。１つのグループは１つのポートのみ有することができる。疑似直交の定義はＬＴＥと同様であり、異なるポートは異なるスクランブルシーケンスまたは疑似ランダムシーケンス（例えば異なるｎＳＣＩＤ）を用いることによって区別される。
【０３６９】
ユーザはベースステーションに対して、性能を通知する際に、疑似直交を復調する能力を有しているか否かを通知し、あるいはベースステーションに対してレシーバ能力を通知する。例えば連続干渉キャンセル（ＳＩＣ）レシーバであるか否かである。ベースステーションは、ＵＥのレシーバ能力の報告にしたがって、ユーザの異なるポートを疑似直交に構成できることを決定することができる。例えばユーザ能力において報告されたレシーバ能力が乏しい場合、ベースステーションがユーザに対して構成する複数ポートは直交していなければならない。ただしユーザ能力において報告されたレシーバ能力が良好である場合、ベースステーションはユーザの基準信号の複数ポートを直交または疑似直交のいずれとするのかを選択できる。
【０３７０】
＜実施例１４＞
第２タイプ基準信号は主に位相ノイズによって生じたチャネル逸脱を補償し、位相ノイズの影響は高周波数帯において（特に高次変調において）のみ深刻となるので、第２タイプ基準信号は送信せずあるいは構成しなくてもよい。すなわちベースステーションは、第２タイプ基準信号の送信を構成しなくてもよい。
【０３７１】
本開示のモジュールや動作は汎用目的コンピュータデバイスによって実装できることは当業者にとって明らかである。これは単一コンピュータデバイス上に集中してもよいし、複数コンピュータデバイスを含むネットワーク上に分散してもよい。これに代えて本開示のモジュールや動作は、コンピュータデバイスが実行可能なプログラムコードによって実装することができる。したがってプログラムコードは、コンピュータデバイスが自王するために記憶デバイスに格納することができる。以上の動作は説明したものとは異なる順序で実施することができる場合があり、あるいは個別の集積回路モジュールによって分離して実施することができ、あるいは複数のモジュールや動作を単一の集積回路モジュール内に実装することができる。したがって本開示は、ハードウェアやソフトウェアの特定の組み合わせに限定されるものではない。
【０３７２】
以上の説明は本開示の望ましい実施形態のみに関するものであり、本開示を限定する意図ではない。当業者は本開示に対して様々な変形や変更をすることができる。本開示の趣旨と範囲内でする任意の変形、等価代替、改善などは、本開示の範囲内に含まれることを意図している。
【産業上の利用可能性】
【０３７３】
本開示の実施形態の技術的手段は、第１タイプ基準信号のパラメータを用いることにより、第２タイプ基準信号のパラメータを決定する。第１タイプ基準信号のパラメータは第１シグナリングによってのみ取得され、これにより第２タイプ基準信号のパラメータを取得する。第２タイプ基準信号のパラメータを御別送信するために別のシグナリングを用いる必要はなく、これによりシグナリングオーバーヘッドを抑制する。したがって、関連分野における位受信号を取得する際に必要となる大きなシグナリングオーバーヘッドの課題を解決できる。
【図１】
0006853888.tif 000012
【図２】
0006853888.tif 000013
【図３】
0006853888.tif 000014
【図４】
0006853888.tif 000015
【図５】
0006853888.tif 000016
【図６】
0006853888.tif 000017
【図７】
0006853888.tif 000018
【図８】
0006853888.tif 000019
【図９】
0006853888.tif 000020
【図１０】
0006853888.tif 000021
【図１１】
0006853888.tif 000022
【図１２】
0006853888.tif 000023
【図１３】
0006853888.tif 000024
【図１４】
0006853888.tif 000025
【図１５】
0006853888.tif 000026
【図１６】
0006853888.tif 000027
【図１７】
0006853888.tif 000028
【図１８】
0006853888.tif 000029
【図１９】
0006853888.tif 000030
【図２０】
0006853888.tif 000031
【図２１】
0006853888.tif 000032